(57)【要約】【課題】梁の数を低減して、構成のシンプル化を可能にすること。【解決手段】４個の支柱４Ｃにより囲まれた領域に実質的に直方体状の立体空間が形成される立体構築物４００は、下水平横梁１８、下水平縦梁４０、床パネル１００、水平縦壁パネル１４０、水平横壁パネル１４０Ｂ、屋根パネル２２０とを備えている。水平縦壁パネル１４０及び水平横壁パネル１４０Ｂは、内壁１４３及び外壁１４４と、底壁１４５とを有しかつ、開放端が該立体空間の水平方向内側に向けられたチャンネル形金属板部材から構成される矩形状の周縁部１４２を備えている。【選択図】図３
2007277948.tif 000002
【特許請求の範囲】
【請求項１】
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の床パネルと、該複数個の床パネルの該両端部における上面と該両端部においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルと、両端部の下面が、それぞれ水平横方向に対向する水平縦壁パネルの上端面に載置された複数個の矩形状のパネル部材とを備え、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
床パネルの各々の該両端部には、上面に開口する複数個の雌ねじ穴が配設され、水平縦方向に対向する支柱には、該他の一つの側面に開口する複数個の雌ねじ穴が配設され、パネル部材の各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設され
水平横方向に対向する水平縦空間の各々に挿入された水平縦壁パネルの外周面と、該水平縦空間の各々を形成する該複数個の床パネルの該両端部における上面及び該両端部においてそれぞれ水平縦方向に対向する支柱の該他の一つの側面と、該複数個のパネル部材の該両端部の下面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面とは、相互に整合される取付穴及び雌ねじ穴を介してボルトにより離脱自在に締結される、
ことを特徴とする立体構築物。
【請求項２】
水平縦壁パネル及び水平横壁パネルの各々における該周縁部を構成する内壁及び外壁の内側には、複数の矩形状の補強金属板が、内壁及び外壁の延在方向に間隔をおいてかつ、内壁、外壁及び底壁に対し直角に配設される、請求項１記載の立体構築物。
【請求項３】
下水平横梁の各々の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、
金具の各々における上壁の上面は、下水平横梁の上面と実質的に同一水平面上に存在し、片方の側壁の外表面は、下水平横梁の鉛直な両端面と実質的に同一面上に存在し、
下水平横梁の各々の両端面はそれぞれ、水平横方向に対向する支柱の下端部の該一つの側面に対向して位置付けられ、下水平横梁の各々の両端面がそれぞれ、該支柱の各々の下端部の該一つの側面に対向して位置付けられた状態で、下水平横梁の各々の金具の各々における矩形開口の他端は、該立体空間の水平縦方向内側に向けられかつ、片方の側壁に形成された取付穴は、対応する該支柱の下端部の該一つの側面に開口する雌ねじ穴に整合し、
下水平横梁の各々の両端面と、該支柱の各々の下端部における該一つの側面とは、相互に整合された取付穴及び雌ねじ穴を介してボルトにより離脱自在に締結される、請求項１又は請求項２記載の立体構築物。
【請求項４】
下水平横梁の各々の上面は、床パネルの各々の上面と実質的に同一水平面上に存在する、請求項３記載の立体構築物。
【請求項５】
下水平縦梁の各々の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、
金具の各々における上壁の上面は、下水平縦梁の上面と実質的に同一水平面上に存在し、片方の側壁の外表面は、下水平縦梁の鉛直な両端面と実質的に同一面上に存在し、
下水平縦梁の各々の両端面はそれぞれ、水平縦方向に対向する支柱の下端部の該他の一つの側面に対向して位置付けられ、下水平縦梁の各々の両端面がそれぞれ、該支柱の各々の下端部の該他の一つの側面に対向して位置付けられた状態で、下水平縦梁の各々の金具の各々における矩形開口の他端は、該立体空間の水平横方向内側に向けられかつ、片方の側壁に形成された取付穴は、対応する該支柱の下端部の該他の一つの側面に開口する雌ねじ穴に整合し、
下水平縦梁の各々の両端面と、該支柱の各々の下端部における該他の一つの側面とは、相互に整合された取付穴及び雌ねじ穴を介してボルトにより離脱自在に締結される、請求項１〜４のいずれか１項に記載の立体構築物。
【請求項６】
床パネル、水平横壁パネル、水平縦壁パネル及びパネル部材は、鉄筋コンクリート製の本体を有している、請求項１〜５のいずれか１項に記載の立体構築物。
【請求項７】
床パネルの各々は、鉄筋コンクリート製の矩形状の本体と、本体の両端部に一体に配設された複数の金具とを備え、金具の各々は、横断面が４角形の中空本体と、中空本体の下端を覆う底壁であって中央に取付穴が形成された底壁と、中空本体の上端よりも下方の上端部内に一体に配設された支持壁であって、中央に手を挿入するための貫通穴が形成されかつ角部に雌ねじ穴が形成された支持壁と、中空本体の上端部内において、支持壁の上に重合されかつ離脱自在に連結されるカバー板であって、中央に形成された貫通穴と、中央上面に固着されたナットと、角部に形成された取付穴とを備えたカバー板とを備え、金具の各々の下端面は、対応する床パネルの下面と実質的に同一水平面上に存在し、
床パネルの各々の該両端部の下面がそれぞれ水平横方向に対向する下水平縦梁の上面に載置された状態で、金具の各々の底壁に形成された取付穴が、下水平縦梁の上面に開口する雌ねじ穴に整合され、金具の各々においてカバー板が離脱された状態で、床パネルの各々の両端部と下水平縦梁とは、相互に整合された取付穴と雌ねじ穴を介してボルトにより離脱自在に締結される、請求項１〜５のいずれか１項に記載の立体構築物。
【請求項８】
金具の各々においてカバー板は、中空本体の上端部内において、支持壁の上に重合されると、カバー板の取付穴は支持壁の雌ねじ穴に整合され、カバー板は支持壁に、相互に整合された取付穴と雌ねじ穴を介してボルトにより離脱自在に締結され、カバー板が支持壁に締結された状態で、金具の各々の上端面は、中空本体の上端面と、カバー板のナットの上端面とにより規定されかつ、床パネルの上面と実質的に同一水平面上に存在し、床パネルの上面に開口する該雌ねじ穴は、金具の各々のナットにより形成される、請求項７記載の立体構築物。
【請求項９】
床パネル及び／又はパネル部材は、少なくとも１個の断熱及び／又は吸音のための部材が埋設されている鉄筋コンクリート製の本体を有している、請求項１〜５のいずれか１項に記載の立体構築物。
【請求項１０】
水平横壁パネル及び水平縦壁パネルは、矩形状の鉄筋コンクリート製の本体と、該本体の周縁全周を囲む該周縁部とを備えている、請求項１〜９のいずれか１項に記載の立体構築物。
【請求項１１】
下水平横梁及び下水平縦梁は、鉄筋コンクリート製の本体を有している、請求項１〜１０のいずれか１項に記載の立体構築物。
【請求項１２】
支柱の各々の下端には、複数の取付穴が形成された鋼製の基板が固着され、支柱の各々が配設される基礎には、上面に開口する複数の雌ねじ穴が配設され、支柱の各々の基板は、対応する基礎に対し、対応する基礎の上面に載置された状態で、相互に整合される取付穴及び雌ねじ穴を介してボルトにより離脱自在に締結される、請求項１〜１１のいずれか１項に記載の立体構築物。
【請求項１３】
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の１階床パネルと、該複数個の１階床パネルの該両端部における上面と該両端部においてそれぞれ水平縦方向に対向する支柱の各々における該他の一つの側面との間に形成される水平縦空間に挿入された、水平な上端面を有する矩形状の１階水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の１階水平横壁パネルと、両端部の下面が、それぞれ水平横方向に対向する１階水平縦壁パネルの上端面に載置された複数個の矩形状の２階床パネルとを備え、
水平横方向に対向する支柱の、２階床パネルと同じ高さ位置における該一つの側面には、中間水平横梁の両端がそれぞれ連結され、水平縦方向の一端及び／又は他端において、中間水平横梁の下面は、該水平横空間に挿入された１階水平横壁パネルの上端面に対向して位置付けられ、
１階水平縦壁パネル及び１階水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
１階床パネルの各々の該両端部には、上面に開口する複数個の雌ねじ穴が配設され、水平縦方向に対向する支柱には、該他の一つの側面に開口する複数個の雌ねじ穴が配設され、２階床パネルの各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設されかつ、中間水平横梁には、下面に開口する複数個の雌ねじ穴が配設され、
水平横方向に対向する水平縦空間の各々に挿入された１階水平縦壁パネルの外周面と、該水平縦空間の各々を形成する該複数個の１階床パネルの該両端部における上面及び該両端部においてそれぞれ水平縦方向に対向する支柱の該他の一つの側面と、該複数個の２階床パネルの該両端部の下面とは、それぞれ相互に整合される取付穴及び雌ねじ穴を介してボルトにより離脱自在に締結され、
水平縦方向の一端及び／又は他端において、水平横空間に挿入された１階水平横壁パネルの外周面と、該水平横空間を形成する、水平横方向に対向する支柱の下端部における該一つの側面間を延在する下水平横梁の上面及び該支柱の各々の該一つの側面と、中間水平横梁の下面とは、相互に整合される取付穴及び雌ねじ穴を介してボルトにより離脱自在に締結される、
ことを特徴とする立体構築物。
【請求項１４】
１階水平縦壁パネル及び１階水平横壁パネルの各々の外周面は、矩形状の外壁の外面により形成される該上端面と、該上端面と平行に延在する下端面と、該上端面及び下端面の両端間をそれぞれ延在する鉛直面とを備え、外壁に形成された取付穴は、該上端面、下端面及び鉛直面にそれぞれ開口し、
水平縦壁パネルが水平横方向に対向する水平縦空間の各々に挿入された状態で、各々の下端面は、該複数個の１階床パネルの該両端部における上面に載置され、各々の下端面に開口する取付穴は、該複数個の１階床パネルの該上面に開口する雌ねじ穴と整合し、鉛直面の各々は、対応する支柱の該他の一つの側面に対向し、鉛直面の各々に開口する取付穴は、対応する支柱の該他の一つの側面に開口する雌ねじ穴と整合し、該上端面に開口する取付穴は、該複数個の２階床パネルの該下面に開口する雌ねじ穴と整合する、請求項１３記載の立体構築物。
【請求項１５】
１階水平横壁パネルが、水平縦方向の一端及び／又は他端において、水平横方向に対向する支柱の下端部における該一つの側面間を延在する下水平横梁の上面と該支柱の各々の該一つの側面とにより形成される水平横空間に挿入された状態で、１階水平横壁パネルの下端面は、下水平横梁の上面に載置され、下端面に開口する取付穴は、下水平横梁の上面に開口する雌ねじ穴と整合し、鉛直面の各々は、対応する支柱の該一つの側面に対向し、鉛直面の各々に開口する取付穴は、対応する支柱の該一つの側面に開口する雌ねじ穴と整合し、上端面に開口する取付穴は、中間水平横梁の下面に開口する雌ねじ穴と整合する、請求項１４記載の立体構築物。
【請求項１６】
中間水平横梁の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、
金具の各々における上壁の上面は、中間水平横梁の上面と実質的に同一水平面上に存在し、片方の側壁の外表面は、中間水平横梁の鉛直な両端面と実質的に同一面上に存在し、
中間水平横梁の両端面はそれぞれ、水平横方向に対向する支柱の該高さ位置における該一つの側面に対向して位置付けられ、下水平横梁の両端面がそれぞれ、該支柱の各々の該高さ位置における該一つの側面に対向して位置付けられた状態で、中間水平横梁の金具の各々における矩形開口の他端は、該立体空間の水平縦方向内側に向けられかつ、片方の側壁に形成された取付穴は、対応する該支柱の該高さ位置における該一つの側面に開口する雌ねじ穴に整合し、
中間水平横梁の両端面と、該支柱の各々の該高さ位置における該一つの側面とは、相互に整合された取付穴及び雌ねじ穴を介してボルトにより離脱自在に締結される、請求項１３〜１５のいずれか１項に記載の立体構築物。
【請求項１７】
２階床パネル及び中間水平横梁の各々の上面は実質的に同一水平面上に存在し、支柱の各々は、２階床パネルの上面を越えて上方に同じ高さまで延び出し、
該複数個の２階床パネルの両端部における上面と該両端部においてそれぞれ水平縦方向に対向する支柱の該他の一つの側面との間に形成される水平縦空間には、該周縁部と実質的に同じ構成を有する周縁部を備えた２階水平縦壁パネルが挿入され、
水平縦方向の一端及び他端において水平横方向に対向する支柱の該高さ位置における該一つの側面間を延在する中間水平横梁の上面と該支柱の各々の該一つの側面との間に形成される水平横空間には、該周縁部と実質的に同じ構成を有する周縁部を備えた２階水平横壁パネルが挿入され、
２階水平縦壁パネル及び２階水平横壁パネルの各々の上端面と、支柱の各々の上端面とは、実質的に同一水平面上に存在し、それぞれ水平横方向に対向する２階水平縦壁パネルの上端面及び支柱の上端面により、水平縦方向に平行に延在するよう形成される一対の水平縦上端面には、複数の矩形状の屋根パネルの両端部における下面が載置され、水平縦方向の一端及び他端に存在する屋根パネルの下面の、水平横方向に延在する一部領域は、対応する２階水平横壁パネルの上端面に載置され、
２階床パネルの各々の該両端部には、該上面に開口する複数個の雌ねじ穴が配設され、
水平縦方向に対向する支柱であって２階床パネルの各々の上面を超えて延び出した支柱には、該他の一つの側面に開口する複数個の雌ねじ穴が配設され、
屋根パネルの各々の該両端部には、下面に開口する複数個の雌ねじ穴が配設され、
水平縦方向の一端及び他端において、水平横方向に対向する支柱であって２階床パネルの各々の上面を超えて延び出した支柱には、該一つの側面に開口する複数個の雌ねじ穴が配設され、中間水平横梁には、上面に開口する複数個の雌ねじ穴が配設され、
水平縦方向の一端及び他端に存在する屋根パネルの該一部領域には、下面に開口する複数個の雌ねじ穴が配設され、
水平横方向に対向する水平縦空間の各々に挿入された２階水平縦壁パネルの外周面と、該水平縦空間の各々を形成する該複数個の２階床パネルの該両端部における上面及び該両端部においてそれぞれ水平縦方向に対向する支柱の該他の一つの側面と、該複数個の屋根パネルの該両端部の下面とは、それぞれ相互に整合される取付穴及び雌ねじ穴を介してボルトにより離脱自在に締結され、
水平縦方向の一端及び他端において、水平横空間に挿入された２階水平横壁パネルの外周面と、該水平横空間の各々を形成する、水平横方向に対向する支柱の該高さ位置における該一つの側面間を延在する中間水平横梁の上面及び該支柱の各々の該一つの側面と、水平縦方向の一端及び他端に存在する屋根パネルの該一部領域の下面とは、それぞれ相互に整合される取付穴及び雌ねじ穴を介してボルトにより離脱自在に締結される、請求項１３〜１６のいずれか１項に記載の立体構築物。
【請求項１８】
２階水平横壁パネル及び２階水平縦壁パネルは、矩形状の鉄筋コンクリート製の本体と、該本体の周縁を囲む該周縁部とを備えている、請求項１３〜１７のいずれか１項に記載の立体構築物。
【請求項１９】
１階床パネル、２階床パネル、屋根パネルは、矩形状の鉄筋コンクリート製の本体を有している、１３〜１８のいずれか１項に記載の立体構築物。
【請求項２０】
１階床パネル、２階床パネル又は屋根パネルの少なくとも一つは、少なくとも１個の断熱部材及び／又は吸音部材が埋設されている鉄筋コンクリート製の本体を有している、請求項１３〜１８のいずれか１項に記載の立体構築物。
【請求項２１】
水平縦方向に相互に隣合う屋根パネルにおいて、相互に水平縦方向に隣合う一側部の各々の上面には、水平横方向に直線状に延在するスリットが形成され、相互に水平縦方向に隣合う一側部の各々の上面に形成されたスリットには、それぞれ一定の鉛直長さを有しかつ、平縦方向に間隔をおいて水平横方向に平行に延在する側壁と、側壁の上端間に一体に配設された水平上壁とからなるチャンネル形の防水カバーの側壁が挿入される、請求項１３〜２０のいずれか１項に記載の立体構築物。
【請求項２２】
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の床パネルと、該複数個の床パネルの該両端部における上面と該両端部においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルとを備え、
水平縦壁パネル及び水平横壁パネルの上端面と支柱の各々の上端面とは実質的に同一水平面上に存在し、水平横方向に対向する水平縦壁パネルの上端面及び支柱の上端面により、水平縦方向に平行に延在するよう形成される一対の水平縦上端面には、複数の矩形状の屋根パネルの両端部における下面が載置され、水平縦方向の一端及び他端に存在する屋根パネルの下面の、水平横方向に延在する一部領域は、対応する水平横壁パネルの上端面に載置され、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
床パネルの各々の該両端部には、上面に開口する複数個の雌ねじ穴が配設され、水平縦方向に対向する支柱には、該他の一つの側面に開口する複数個の雌ねじ穴が配設され、屋根パネルの各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設されかつ、水平縦方向の一端及び／又は他端に存在する屋根パネルの該一部領域には、下面に開口する複数個の雌ねじ穴が配設され、
水平横方向に対向する水平縦空間の各々に挿入された水平縦壁パネルの外周面と、該水平縦空間の各々を形成する該複数個の床パネルの該両端部における上面及び該両端部においてそれぞれ水平縦方向に対向する支柱の該他の一つの側面と、該複数個の屋根パネルの該両端部の下面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面と、水平縦方向の一端及び／又は他端に存在する屋根パネルの該一部領域の下面とは、それぞれ相互に整合される取付穴及び雌ねじ穴を介してボルトにより離脱自在に締結される、
ことを特徴とする立体構築物。
【請求項２３】
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、下水平縦梁の各々の上面と下水平縦梁の各々の両端においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルと、両端部の下面が、それぞれ水平横方向に対向する水平縦壁パネルの上端面に載置された複数個の矩形状のパネル部材とを備え、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
水平縦方向に対向する支柱には、該他の一つの側面に開口する複数個の雌ねじ穴が配設され、パネル部材の各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設され
水平横方向に対向する水平縦空間の各々に挿入された水平縦壁パネルの外周面と、該水平縦空間の各々を形成する水平縦梁の上面及び水平縦梁の両端においてそれぞれ水平縦方向に対向する支柱の該他の一つの側面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面とは、相互に整合される取付穴及び雌ねじ穴を介してボルトにより離脱自在に締結される、
ことを特徴とする立体構築物。
【発明の詳細な説明】
【技術分野】
【０００１】
本発明は、住宅、宿泊施設、倉庫、事務所、作業所、その他として多目的の使用が可能である立体構築物に関する。
【背景技術】
【０００２】
従来の立体構築物としては、例えば、平面から見て矩形に配列された支柱及び水平に延在しかつ支柱間を連結する梁を備えた骨組であって実質的に直方体状の立体空間を形成する骨組を備えている。骨組に形成される複数の側縁領域の各々には、上下方向に対向する一対の側梁及び水平方向に対向する一対の支柱により囲まれた矩形の側縁空間が、それぞれ、１個又は複数個形成される。骨組における側縁空間の全部、又は少なくとも１個を除く他の全部の側縁空間には、それぞれ１個又は複数個の矩形の側壁ユニットが嵌合され、連結される。床パネル（床ユニット）、屋根パネル（屋根ユニット）は、それぞれ、相互に対向する梁上に載置されて連結される（特許文献１参照）。この立体構築物によれば、組立現場における分解作業が容易かつ迅速にできる、構成要素の各々及び全体の構成が比較的軽量かつシンプルでありながら十分な強度を確保することができる、など、多くの優れた効果が得られる。
【０００３】
しかしながら、上記立体構築物においては、個々の組立要素の構成及び全体の構成のシンプル化及びコストダウンという目標は、それ以前の立体構築物よりは改善されてはいるものの、梁の数が比較的多いこと、骨組のほとんどが鋼材により構成されていること、などに起因して、未だ充分満足できるものとはいえない。
【特許文献１】特許第３６３５４６７号公報
【発明の開示】
【発明が解決しようとする課題】
【０００４】
本発明の目的は、梁の数を低減することを可能にして、全体の構成のシンプル化及びコストダウンを可能にする、新規な立体構築物を提供することである。
【０００５】
本発明の他の目的は、個々の組立要素の構成及び全体の構成のシンプル化及びコストダウンを可能にする、新規な立体構築物を提供することである。
【０００６】
本発明の他の目的は、組立現場における組立作業を容易かつ迅速にできるようにして、組立期間を短縮することを可能にし、しかも、十分な強度を確保することを可能にする、新規な立体構築物を提供することである。
【０００７】
本発明の更に他の目的は、ボルトにより全ての組立要素の組立を可能にする、新規な立体構築物を提供することである。
【課題を解決するための手段】
【０００８】
本発明の一局面によれば、
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の床パネルと、該複数個の床パネルの該両端部における上面と該両端部においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルと、両端部の下面が、それぞれ水平横方向に対向する水平縦壁パネルの上端面に載置された複数個の矩形状のパネル部材とを備え、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
床パネルの各々の該両端部には、上面に開口する複数個の雌ねじ穴が配設され、水平縦方向に対向する支柱には、該他の一つの側面に開口する複数個の雌ねじ穴が配設され、パネル部材の各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設され
水平横方向に対向する水平縦空間の各々に挿入された水平縦壁パネルの外周面と、該水平縦空間の各々を形成する該複数個の床パネルの該両端部における上面及び該両端部においてそれぞれ水平縦方向に対向する支柱の該他の一つの側面と、該複数個のパネル部材の該両端部の下面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面とは、相互に整合される取付穴及び雌ねじ穴を介してボルトにより離脱自在に締結される、
ことを特徴とする立体構築物、が提供される。
水平縦壁パネル及び水平横壁パネルの各々における該周縁部を構成する内壁及び外壁の内側には、複数の矩形状の補強金属板が、内壁及び外壁の延在方向に間隔をおいてかつ、内壁、外壁及び底壁に対し直角に配設される、ことが好ましい。
下水平横梁の各々の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、金具の各々における上壁の上面は、下水平横梁の上面と実質的に同一水平面上に存在し、片方の側壁の外表面は、下水平横梁の鉛直な両端面と実質的に同一面上に存在し、下水平横梁の各々の両端面はそれぞれ、水平横方向に対向する支柱の下端部の該一つの側面に対向して位置付けられ、下水平横梁の各々の両端面がそれぞれ、該支柱の各々の下端部の該一つの側面に対向して位置付けられた状態で、下水平横梁の各々の金具の各々における矩形開口の他端は、該立体空間の水平縦方向内側に向けられかつ、片方の側壁に形成された取付穴は、対応する該支柱の下端部の該一つの側面に開口する雌ねじ穴に整合し、下水平横梁の各々の両端面と、該支柱の各々の下端部における該一つの側面とは、相互に整合された取付穴及び雌ねじ穴を介してボルトにより離脱自在に締結される、ことが好ましい。
下水平横梁の各々の上面は、床パネルの各々の上面と実質的に同一水平面上に存在する、ことが好ましい。
下水平縦梁の各々の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、金具の各々における上壁の上面は、下水平縦梁の上面と実質的に同一水平面上に存在し、片方の側壁の外表面は、下水平縦梁の鉛直な両端面と実質的に同一面上に存在し、下水平縦梁の各々の両端面はそれぞれ、水平縦方向に対向する支柱の下端部の該他の一つの側面に対向して位置付けられ、下水平縦梁の各々の両端面がそれぞれ、該支柱の各々の下端部の該他の一つの側面に対向して位置付けられた状態で、下水平縦梁の各々の金具の各々における矩形開口の他端は、該立体空間の水平横方向内側に向けられかつ、片方の側壁に形成された取付穴は、対応する該支柱の下端部の該他の一つの側面に開口する雌ねじ穴に整合し、下水平縦梁の各々の両端面と、該支柱の各々の下端部における該他の一つの側面とは、相互に整合された取付穴及び雌ねじ穴を介してボルトにより離脱自在に締結される、ことが好ましい。
床パネル、水平横壁パネル、水平縦壁パネル及びパネル部材は、鉄筋コンクリート製の本体を有している、ことが好ましい。
床パネルの各々は、鉄筋コンクリート製の矩形状の本体と、本体の両端部に一体に配設された複数の金具とを備え、金具の各々は、横断面が４角形の中空本体と、中空本体の下端を覆う底壁であって中央に取付穴が形成された底壁と、中空本体の上端よりも下方の上端部内に一体に配設された支持壁であって、中央に手を挿入するための貫通穴が形成されかつ角部に雌ねじ穴が形成された支持壁と、中空本体の上端部内において、支持壁の上に重合されかつ離脱自在に連結されるカバー板であって、中央に形成された貫通穴と、中央上面に固着されたナットと、角部に形成された取付穴とを備えたカバー板とを備え、金具の各々の下端面は、対応する床パネルの下面と実質的に同一水平面上に存在し、床パネルの各々の該両端部の下面がそれぞれ水平横方向に対向する下水平縦梁の上面に載置された状態で、金具の各々の底壁に形成された取付穴が、下水平縦梁の上面に開口する雌ねじ穴に整合され、金具の各々においてカバー板が離脱された状態で、床パネルの各々の両端部と下水平縦梁とは、相互に整合された取付穴と雌ねじ穴を介してボルトにより離脱自在に締結される、ことが好ましい。
金具の各々においてカバー板は、中空本体の上端部内において、支持壁の上に重合されると、カバー板の取付穴は支持壁の雌ねじ穴に整合され、カバー板は支持壁に、相互に整合された取付穴と雌ねじ穴を介してボルトにより離脱自在に締結され、カバー板が支持壁に締結された状態で、金具の各々の上端面は、中空本体の上端面と、カバー板のナットの上端面とにより規定されかつ、床パネルの上面と実質的に同一水平面上に存在し、床パネルの上面に開口する該雌ねじ穴は、金具の各々のナットにより形成される、ことが好ましい。
床パネル及び／又はパネル部材は、少なくとも１個の断熱及び／又は吸音のための部材が埋設されている鉄筋コンクリート製の本体を有している、ことが好ましい。
水平横壁パネル及び水平縦壁パネルは、矩形状の鉄筋コンクリート製の本体と、該本体の周縁全周を囲む該周縁部とを備えている、ことが好ましい。
下水平横梁及び下水平縦梁は、鉄筋コンクリート製の本体を有している、ことが好ましい。
支柱の各々の下端には、複数の取付穴が形成された鋼製の基板が固着され、支柱の各々が配設される基礎には、上面に開口する複数の雌ねじ穴が配設され、支柱の各々の基板は、対応する基礎に対し、対応する基礎の上面に載置された状態で、相互に整合される取付穴及び雌ねじ穴を介してボルトにより離脱自在に締結される、ことが好ましい。
本発明の他の局面によれば、
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の１階床パネルと、該複数個の１階床パネルの該両端部における上面と該両端部においてそれぞれ水平縦方向に対向する支柱の各々における該他の一つの側面との間に形成される水平縦空間に挿入された、水平な上端面を有する矩形状の１階水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の１階水平横壁パネルと、両端部の下面が、それぞれ水平横方向に対向する１階水平縦壁パネルの上端面に載置された複数個の矩形状の２階床パネルとを備え、
水平横方向に対向する支柱の、２階床パネルと同じ高さ位置における該一つの側面には、中間水平横梁の両端がそれぞれ連結され、水平縦方向の一端及び／又は他端において、中間水平横梁の下面は、該水平横空間に挿入された１階水平横壁パネルの上端面に対向して位置付けられ、
１階水平縦壁パネル及び１階水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
１階床パネルの各々の該両端部には、上面に開口する複数個の雌ねじ穴が配設され、水平縦方向に対向する支柱には、該他の一つの側面に開口する複数個の雌ねじ穴が配設され、２階床パネルの各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設されかつ、中間水平横梁には、下面に開口する複数個の雌ねじ穴が配設され、
水平横方向に対向する水平縦空間の各々に挿入された１階水平縦壁パネルの外周面と、該水平縦空間の各々を形成する該複数個の１階床パネルの該両端部における上面及び該両端部においてそれぞれ水平縦方向に対向する支柱の該他の一つの側面と、該複数個の２階床パネルの該両端部の下面とは、それぞれ相互に整合される取付穴及び雌ねじ穴を介してボルトにより離脱自在に締結され、
水平縦方向の一端及び／又は他端において、水平横空間に挿入された１階水平横壁パネルの外周面と、該水平横空間を形成する、水平横方向に対向する支柱の下端部における該一つの側面間を延在する下水平横梁の上面及び該支柱の各々の該一つの側面と、中間水平横梁の下面とは、相互に整合される取付穴及び雌ねじ穴を介してボルトにより離脱自在に締結される、
ことを特徴とする立体構築物、が提供される。
１階水平縦壁パネル及び１階水平横壁パネルの各々の外周面は、矩形状の外壁の外面により形成される該上端面と、該上端面と平行に延在する下端面と、該上端面及び下端面の両端間をそれぞれ延在する鉛直面とを備え、外壁に形成された取付穴は、該上端面、下端面及び鉛直面にそれぞれ開口し、水平縦壁パネルが水平横方向に対向する水平縦空間の各々に挿入された状態で、各々の下端面は、該複数個の１階床パネルの該両端部における上面に載置され、各々の下端面に開口する取付穴は、該複数個の１階床パネルの該上面に開口する雌ねじ穴と整合し、鉛直面の各々は、対応する支柱の該他の一つの側面に対向し、鉛直面の各々に開口する取付穴は、対応する支柱の該他の一つの側面に開口する雌ねじ穴と整合し、該上端面に開口する取付穴は、該複数個の２階床パネルの該下面に開口する雌ねじ穴と整合する、ことが好ましい。
１階水平横壁パネルが、水平縦方向の一端及び／又は他端において、水平横方向に対向する支柱の下端部における該一つの側面間を延在する下水平横梁の上面と該支柱の各々の該一つの側面とにより形成される水平横空間に挿入された状態で、１階水平横壁パネルの下端面は、下水平横梁の上面に載置され、下端面に開口する取付穴は、下水平横梁の上面に開口する雌ねじ穴と整合し、鉛直面の各々は、対応する支柱の該一つの側面に対向し、鉛直面の各々に開口する取付穴は、対応する支柱の該一つの側面に開口する雌ねじ穴と整合し、上端面に開口する取付穴は、中間水平横梁の下面に開口する雌ねじ穴と整合する、ことが好ましい。
中間水平横梁の両端には金具が一体に配設され、金具の各々は、矩形状の上壁と、上壁の下方に間隔をおいて対向する矩形状の下壁と、上壁及び下壁の両側間をそれぞれ延在する矩形状の側壁と、上壁、下壁及び側壁の各々により形成される矩形開口の一端を覆うよう配設された底壁とを備え、金具の各々における上壁には、該雌ねじ穴の一つが形成され、片方の側壁には複数の取付穴が形成され、金具の各々における上壁の上面は、中間水平横梁の上面と実質的に同一水平面上に存在し、片方の側壁の外表面は、中間水平横梁の鉛直な両端面と実質的に同一面上に存在し、中間水平横梁の両端面はそれぞれ、水平横方向に対向する支柱の該高さ位置における該一つの側面に対向して位置付けられ、下水平横梁の両端面がそれぞれ、該支柱の各々の該高さ位置における該一つの側面に対向して位置付けられた状態で、中間水平横梁の金具の各々における矩形開口の他端は、該立体空間の水平縦方向内側に向けられかつ、片方の側壁に形成された取付穴は、対応する該支柱の該高さ位置における該一つの側面に開口する雌ねじ穴に整合し、中間水平横梁の両端面と、該支柱の各々の該高さ位置における該一つの側面とは、相互に整合された取付穴及び雌ねじ穴を介してボルトにより離脱自在に締結される、ことが好ましい。
２階床パネル及び中間水平横梁の各々の上面は実質的に同一水平面上に存在し、支柱の各々は、２階床パネルの上面を越えて上方に同じ高さまで延び出し、該複数個の２階床パネルの両端部における上面と該両端部においてそれぞれ水平縦方向に対向する支柱の該他の一つの側面との間に形成される水平縦空間には、該周縁部と実質的に同じ構成を有する周縁部を備えた２階水平縦壁パネルが挿入され、水平縦方向の一端及び他端において水平横方向に対向する支柱の該高さ位置における該一つの側面間を延在する中間水平横梁の上面と該支柱の各々の該一つの側面との間に形成される水平横空間には、該周縁部と実質的に同じ構成を有する周縁部を備えた２階水平横壁パネルが挿入され、２階水平縦壁パネル及び２階水平横壁パネルの各々の上端面と、支柱の各々の上端面とは、実質的に同一水平面上に存在し、それぞれ水平横方向に対向する２階水平縦壁パネルの上端面及び支柱の上端面により、水平縦方向に平行に延在するよう形成される一対の水平縦上端面には、複数の矩形状の屋根パネルの両端部における下面が載置され、水平縦方向の一端及び他端に存在する屋根パネルの下面の、水平横方向に延在する一部領域は、対応する２階水平横壁パネルの上端面に載置され、２階床パネルの各々の該両端部には、該上面に開口する複数個の雌ねじ穴が配設され、水平縦方向に対向する支柱であって２階床パネルの各々の上面を超えて延び出した支柱には、該他の一つの側面に開口する複数個の雌ねじ穴が配設され、屋根パネルの各々の該両端部には、下面に開口する複数個の雌ねじ穴が配設され、水平縦方向の一端及び他端において、水平横方向に対向する支柱であって２階床パネルの各々の上面を超えて延び出した支柱には、該一つの側面に開口する複数個の雌ねじ穴が配設され、中間水平横梁には、上面に開口する複数個の雌ねじ穴が配設され、水平縦方向の一端及び他端に存在する屋根パネルの該一部領域には、下面に開口する複数個の雌ねじ穴が配設され、水平横方向に対向する水平縦空間の各々に挿入された２階水平縦壁パネルの外周面と、該水平縦空間の各々を形成する該複数個の２階床パネルの該両端部における上面及び該両端部においてそれぞれ水平縦方向に対向する支柱の該他の一つの側面と、該複数個の屋根パネルの該両端部の下面とは、それぞれ相互に整合される取付穴及び雌ねじ穴を介してボルトにより離脱自在に締結され、水平縦方向の一端及び他端において、水平横空間に挿入された２階水平横壁パネルの外周面と、該水平横空間の各々を形成する、水平横方向に対向する支柱の該高さ位置における該一つの側面間を延在する中間水平横梁の上面及び該支柱の各々の該一つの側面と、水平縦方向の一端及び他端に存在する屋根パネルの該一部領域の下面とは、それぞれ相互に整合される取付穴及び雌ねじ穴を介してボルトにより離脱自在に締結される、ことが好ましい。
２階水平横壁パネル及び２階水平縦壁パネルは、矩形状の鉄筋コンクリート製の本体と、該本体の周縁を囲む該周縁部とを備えている、ことが好ましい。
１階床パネル、２階床パネル、屋根パネルは、矩形状の鉄筋コンクリート製の本体を有している、ことが好ましい。
１階床パネル、２階床パネル又は屋根パネルの少なくとも一つは、少なくとも１個の断熱部材及び／又は吸音部材が埋設されている鉄筋コンクリート製の本体を有している、ことが好ましい。
水平縦方向に相互に隣合う屋根パネルにおいて、相互に水平縦方向に隣合う一側部の各々の上面には、水平横方向に直線状に延在するスリットが形成され、相互に水平縦方向に隣合う一側部の各々の上面に形成されたスリットには、それぞれ一定の鉛直長さを有しかつ、平縦方向に間隔をおいて水平横方向に平行に延在する側壁と、側壁の上端間に一体に配設された水平上壁とからなるチャンネル形の防水カバーの側壁が挿入される、ことが好ましい。
本発明の更に他の局面によれば、
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、両端部がそれぞれ水平横方向に対向する下水平縦梁の上面に載置されて連結されかつ各々の上面が実質的に同一水平面上に位置付けられた複数個の矩形状の床パネルと、該複数個の床パネルの該両端部における上面と該両端部においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルとを備え、
水平縦壁パネル及び水平横壁パネルの上端面と支柱の各々の上端面とは実質的に同一水平面上に存在し、水平横方向に対向する水平縦壁パネルの上端面及び支柱の上端面により、水平縦方向に平行に延在するよう形成される一対の水平縦上端面には、複数の矩形状の屋根パネルの両端部における下面が載置され、水平縦方向の一端及び他端に存在する屋根パネルの下面の、水平横方向に延在する一部領域は、対応する水平横壁パネルの上端面に載置され、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
床パネルの各々の該両端部には、上面に開口する複数個の雌ねじ穴が配設され、水平縦方向に対向する支柱には、該他の一つの側面に開口する複数個の雌ねじ穴が配設され、屋根パネルの各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設されかつ、水平縦方向の一端及び／又は他端に存在する屋根パネルの該一部領域には、下面に開口する複数個の雌ねじ穴が配設され、
水平横方向に対向する水平縦空間の各々に挿入された水平縦壁パネルの外周面と、該水平縦空間の各々を形成する該複数個の床パネルの該両端部における上面及び該両端部においてそれぞれ水平縦方向に対向する支柱の該他の一つの側面と、該複数個の屋根パネルの該両端部の下面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面と、水平縦方向の一端及び／又は他端に存在する屋根パネルの該一部領域の下面とは、それぞれ相互に整合される取付穴及び雌ねじ穴を介してボルトにより離脱自在に締結される、
ことを特徴とする立体構築物、が提供される。
本発明の他の局面によれば、
水平横方向に間隔をおいて基礎上に直立して配設された２個の支柱と、該２個の支柱に対し、水平横方向に直交する水平縦方向に相互に等間隔をおいて基礎上に直立して配設されたそれぞれ１個又は複数個の支柱とを備え、支柱の各々は横断面が４角形をなし、水平横方向に対向する支柱は一つの側面同士が対向し、水平縦方向に対向する支柱は他の一つの側面同士が対向し、支柱により囲まれた領域に実質的に直方体状の立体空間が形成される立体構築物であって、
両端がそれぞれ水平横方向に対向する支柱の下端部における該一つの側面に連結されかつ水平な上面を有する下水平横梁と、両端がそれぞれ水平縦方向に対向する支柱の下端部における該他の一つの側面に連結されかつ水平な上面を有する下水平縦梁と、下水平縦梁の各々の上面と下水平縦梁の各々の両端においてそれぞれ水平縦方向に対向する支柱の各々における該他の一つの側面との間に形成される水平縦空間に挿入された、水平な上端面を有する矩形状の水平縦壁パネルと、水平縦方向の一端及び／又は他端において水平横方向に対向する支柱の下端部における該一つの側面間を延在する下水平横梁の上面と該支柱の各々における該一つの側面との間に形成される水平横空間に挿入された、水平な上端面を有する矩形状の水平横壁パネルと、両端部の下面が、それぞれ水平横方向に対向する水平縦壁パネルの上端面に載置された複数個の矩形状のパネル部材とを備え、
水平縦壁パネル及び水平横壁パネルの各々は、それぞれ一定の幅で相互に平行に延在する内壁及び外壁と、内壁及び外壁の幅方向の一端間を内壁及び外壁に直角に延在する底壁とを有しかつ、開放端が該立体空間の水平方向内側に向けられたチャンネル形金属板部材から構成される矩形状の周縁部を備え、外壁の全周には、複数の取付穴が外壁の延在方向に間隔をおいて形成され、
水平縦方向に対向する支柱には、該他の一つの側面に開口する複数個の雌ねじ穴が配設され、パネル部材の各々の該両端部には、下面に開口する複数個の雌ねじ穴が配設され、
水平横方向に対向する支柱の各々には、該一つの側面に開口する複数個の雌ねじ穴が配設され、水平縦方向の一端及び／又は他端において、水平横方向に対向する支柱の該下端部における該一つの側面間を延在する下水平横梁には、上面に開口する複数個の雌ねじ穴が配設され
水平横方向に対向する水平縦空間の各々に挿入された水平縦壁パネルの外周面と、該水平縦空間の各々を形成する水平縦梁の上面及び水平縦梁の両端においてそれぞれ水平縦方向に対向する支柱の該他の一つの側面とは、それぞれ相互に整合される取付穴及び雌ねじ穴を介してボルトにより離脱自在に締結され、
水平縦方向の一端及び／又は他端において、水平横空間に挿入された水平横壁パネルの外周面と、該水平横空間を形成する、水平横方向に対向する支柱の下端部における該一つの側面間を延在する下水平横梁の上面及び該支柱の各々の該一つの側面とは、相互に整合される取付穴及び雌ねじ穴を介してボルトにより離脱自在に締結される、
ことを特徴とする立体構築物、が提供される。
【発明を実施するための最良の形態】
【０００９】
以下、本発明に従って構成された立体構築物の好適な実施の形態を、添付図面を参照して詳細に説明する。なお、図１〜図４５において、実質的に同一部分は同一符号で示されている。
【００１０】
先ず、図３〜図１４に示されている立体構築物について説明する。なお、図１及び図２は、本発明の理解を容易にするため、図３〜図１４に示されている立体構築物を、一部を省略し、分解し、かつ模式的に示したものである。
【００１１】
図３及び図４を参照して、本発明による立体構築物３００は、水平横方向（図３及び図４において矢印Ｘ−Ｘ方向）に間隔をおいてそれぞれ基礎２上に直立して配設された２個の支柱４Ｃと、支柱４Ｃの各々に対し、水平横方向に直交する水平縦方向（図３及び図４において矢印Ｙ−Ｙ方向）に相互に等間隔をおいて基礎２上に直立して配設されたそれぞれ１個又は複数個の支柱、実施形態においてはそれぞれ２個の支柱４Ｍ、４Ｃ、及び４Ｍ、４Ｃを備えている。支柱４Ｃ及び４Ｍの各々は横断面が４角形をなす金属製角パイプから形成されている。支柱４Ｃ及び４Ｍの各々を、横断面が４角形をなす鉄筋コンクリートから形成する、他の実施形態もある。水平縦方向の一端（図４において左端）及び他端（図４において右端）においてそれぞれ水平横方向に対向する支柱４Ｃの各々は、それぞれ一つの側面同士が対向し、水平縦方向の中央において水平横方向に対向する支柱４Ｍは、一つの側面同士が対向する。また、水平横方向の両側において、水平縦方向に対向する支柱４Ｃと４Ｍ、支柱４Ｍと４Ｃは、それぞれ他の一つの側面同士が対向する。そして、支柱４Ｃ及び４Ｍの各々により囲まれた領域には、実質的に直方体状の立体空間が形成される。
【００１２】
支柱４Ｃ及び４Ｍの各々の配列の実施形態について具体的に説明すると、水平縦方向の一端において、水平横方向の一側（図４において下側）の支柱４Ｃの一側面ａと、水平横方向の他側（図４において上側）の支柱４Ｃの一側面ｂとが対向する。また、水平縦方向の他端において、水平横方向の一側の支柱４Ｃの一側面ｂと、水平横方向の他側の支柱４Ｃの一側面ａとが対向する。水平縦方向の中間において、水平横方向の一側の支柱４Ｍの一側面ａと、水平横方向の他側の支柱４Ｍの一側面ａとが対向する。
【００１３】
他方、水平横方向の一側において、水平縦方向の一端に位置する支柱４Ｃの他の一側面ｂと、水平縦方向の中央に位置する支柱４Ｍの他の一側面ｂとが対向し、水平縦方向の中央に位置する支柱４Ｍの更に他の一側面ｃと、水平縦方向の他端に位置する支柱４Ｃの他の一側面ａとが対向する。また、水平横方向の他側において、水平縦方向の一端に位置する支柱４Ｃの他の一側面ａと、水平縦方向の中央に位置する支柱４Ｍの他の一側面ｃとが対向し、水平縦方向の中央に位置する支柱４Ｍの更に他の一側面ｂと、水平縦方向の他端に位置する支柱４Ｃの他の一側面ｂとが対向する。
【００１４】
なお以下の記載において、支柱４Ｃの他の一側面ｂ、支柱４Ｍの他の一側面ｂ、支柱４Ｍの更に他の一側面ｃは、記載の簡略化のため、それぞれ単に、支柱４Ｃの一側面ｂ、支柱４Ｍの一側面ｂ、支柱４Ｍの一側面ｃ、と記載することがある。
【００１５】
基礎２の各々は相互に実質的に同一の構成を有しており、また、支柱４Ｃ及び４Ｍの各々の構成それ自体（後述する連結構造５０、７０、１５０、１６０を除く構成）は、相互に実質的に同一であるので、以下、それらを代表して、水平横方向の一側における水平縦方向の一端に配設された基礎２と、該基礎２に取り付けられた支柱４Ｃの構成について説明する。
【００１６】
図３〜図５及び図１５を参照して、基礎２は、直方体状の鉄筋コンクリートを備え、地面Ｇ（図５）から突出して位置付けられた上端面２ａは実質的に水平面上に位置付けられている。矩形平面形状を有する基礎２には、上面に開口する雌ねじ穴８が複数個（実施形態においては４個）、平面から見て矩形状に配設されている。雌ねじ穴８の各々は、基礎２に埋設されたインサートナット１０により形成されている。支柱４Ｃの下端には、複数の（実施形態においては４個の）取付穴１２が形成された基板１４が、支柱４Ｃに対し直角に固着されている。基板１４は矩形状の鋼板からなる。支柱４Ｃの基板１４は、基礎２の上面に載置されかつ直立した状態で、相互に整合される取付穴１２及び雌ねじ穴８を介してボルト１６により基礎２に対し、離脱自在に締結される。
【００１７】
基礎２の各々の上端面２ａは実質的に同一水平面上に位置付けられる。図１６〜図１９に示されているように、支柱４Ｃの各々には、一側面ａ及び一側面ｂに開口する複数の雌ねじ穴１７が配設されている。支柱４Ｃの各々には、２種類の連結構造がそれぞれ複数配設され、該連結構造の各々により該雌ねじ穴１７が形成される。実施形態において、支柱４Ｃの各々は、連結構造を含め、相互に実質的に同じ構成を有している。また、支柱４Ｍの各々には、一側面ａ、一側面ｂ及び一側面ｃに開口する複数の雌ねじ穴１７が配設されている。支柱４Ｍの各々には、２種類の連結構造がそれぞれ複数配設され、該連結構造の各々により該雌ねじ穴１７が形成される。実施形態において、支柱４Ｍの各々は、連結構造を含め、相互に実質的に同じ構成を有している。該連結構造については後述する。なお、図１には、基礎２と支柱４Ｃとが分離された状態で図示され、図２には、基礎２に支柱４Ｃが連結された状態が図示されている。
【００１８】
図３〜図５を参照して、水平横方向の一側において、一端から他端に向ってそれぞれ順に水平縦方向に対向する、支柱４Ｃと支柱４Ｍの下端部における一側面ｂと一側面ｂ間、及び、支柱４Ｍと支柱４Ｃの下端部における一側面ｃと一側面ａ間には、下水平縦梁１８の両端がそれぞれ連結される。また、水平横方向の他側において、一端から他端に向ってそれぞれ順に水平縦方向に対向する、支柱４Ｃと支柱４Ｍの下端部における一側面ａと一側面ｃ間、及び、支柱４Ｍと支柱４Ｃの下端部における一側面ｂと一側面ｂ間には、それぞれ下水平縦梁１８の両端が連結される。水平縦梁１８の各々は水平な上面１８ａを有している。
【００１９】
下水平縦梁１８の各々は相互に実質的に同一の構成を有するので、その一つについて説明する。図２０〜図２２を参照して、下水平縦梁１８は、鉄筋コンクリート製の本体２０を有している。本体２０は、細長い直方体形状をなし、両端には金具２２が一体に配設されている。本体２０の一端に配設された片方の金具２２は、矩形状の上壁２４と、上壁２４の下方に間隔をおいて対向する矩形状の下壁２６と、上壁２４及び下壁２６の両側間をそれぞれ延在する矩形状の側壁２７及び２８と、上壁２４、下壁２６及び側壁２７、２８の各々により形成される矩形開口の一端を覆うよう配設された底壁３０とを備えている。上壁２４と下壁２６との中央における内側には、矩形状の補強壁３２が底壁３０から矩形開口の一端まで延在するよう配設されている。上壁２４の上面は、本体２０の上面と実質的に同一水平面上に存在し、片方の側壁２８の外表面は、下水平縦梁１８の鉛直な一端面と実質的に同一面上に存在する。矩形開口の一端面は、本体２０の一側面２０ａと実質的に同一面上に存在し、底壁３０の外表面は、本体２０の他側面２０ｂの内側に埋設されている。上壁２４には雌ねじ穴３４が形成されている。該片方の側壁２８には複数の（実施形態においては４個の）取付穴３６が形成されている。取付穴３６は、該片方の側壁２８の上端部及び下端部に、それぞれ水平方向に等間隔をおいて２個づつ形成されている。
【００２０】
上記片方の金具２２に対し、本体２０の他端の対称位置に配設された他方の金具２２は、上記片方の金具２２と実質的に同一の構成を有している。実施形態において金具２２の各々は板金から形成されている。本体２０には、上面１８ａに開口する雌ねじ穴３４が複数個配設されている。雌ねじ穴３４の各々は、本体２０に埋設された複数のインサートナット３８により形成されている。本体２０の上面及び金具２２の各々の上面により、下水平縦梁１８の上面１８ａが形成される。なお、図１及び図２には、下水平縦梁１８の一部が図示されている。
【００２１】
図３〜図５を参照して、水平縦方向の一端において、水平縦方向の一側から他側に向って水平横方向に対向する、支柱４Ｃと支柱４Ｃの下端部における一側面ａと一側面ｂ間、水平縦方向の中央において、水平縦方向の一側から他側に向って水平横方向に対向する、支柱４Ｍと支柱４Ｍの下端部における一側面ａと一側面ａ間、及び、水平縦方向の他端において、水平縦方向の一側から他側に向って水平横方向に対向する、支柱４Ｃと支柱４Ｃの下端部における一側面ｂと一側面ａ間には、下水平横梁４０の両端がそれぞれ連結される。下水平横梁４０の各々は水平な上面４０ａを有している。
【００２２】
下水平横梁４０の各々は相互に実質的に同一の構成を有している。実施形態において、下水平横梁４０の各々は、下水平縦梁１８と実質的に同一の構成を有している。図２３を参照して、下水平横梁４０は、鉄筋コンクリート製の本体４２を有している。本体４２は、細長い直方体形状をなし、両端には、下水平縦梁１８に備えられたのと実質的に同一の構成を有する金具２２が一体に配設されている。下水平横梁４０の高さは、下水平縦梁１８よりも高い。したがって、下水平横梁４０の各々における金具２２の各々の高さも、下水平縦梁１８の金具２２よりも高い。この構成に起因して、実施形態においては、下水平横梁４０における金具２２の各々の該片方の側板２８に形成される取付穴３６は、該片方の側壁２８の上端部、中央部及び下端部に、それぞれ水平方向に等間隔をおいて２個づつ形成されている。補強壁３２は、取付穴３６が２個づつ形成された、該片方の側壁２８の上端部と中央部、及び中央部と下端部の間に、それぞれ１個づつ配設されている。
【００２３】
図１６及び図１８を参照して、支柱４Ｃの各々の下端部には、連結構造５０が上下方向に間隔をおいて３個配設されている。連結構造５０の各々は、相互に実質的に同一の構成を有するので、水平縦方向の一端でありかつ水平横方向の一側である角（図１８において左下の角）に位置する支柱４Ｃに配設された連結構造５０について説明する。
【００２４】
支柱４Ｃは、一側面ｂを有する側壁５２と、側壁５２に対向する側壁５４と、一側面ａを有する側壁５６と、側壁５６に対向する側壁５８とを備えている。一側面ｂを有する側壁５２と側壁５４との間には、同じ高さで水平方向に間隔をおいて平行に延在しかつ一端部に雌ねじ穴１７が形成された第１の雌ねじ部材６０の対が、それぞれ雌ねじ穴１７が側壁５２の外面である一側面ｂに開口するよう配設されている。側壁５２及び側壁５４の、第１の雌ねじ部材６０の各々の装着位置に対応する位置には、それぞれ共通の軸線を有する貫通穴が形成され、第１の雌ねじ部材６０の各々が、対応する該貫通穴の各々に嵌合された状態で溶接により固着される。第１の雌ねじ部材６０の各々の一端面は側壁５２の外面である一側面ｂと同一面上に位置付けられ、第１の雌ねじ部材６０の各々の他端面は側壁５４の外面と同一面上に位置付けられる。第１の雌ねじ部材６０の各々は、金属製の丸棒を切削加工することにより形成することができ、一端から他端まで同径である。
【００２５】
相互に実質的に同じ形状及び大きさを有する第１の雌ねじ部材６０の各々のうち、一側面ａを有する側壁５６側に位置する片方の第１の雌ねじ部材６０には、軸方向に間隔をおいてそれぞれ各軸線に水平に直交しかつ相互に平行に延在する軸線を有する雌ねじ穴６２の対が形成されている。雌ねじ穴６２の各々は第１の雌ねじ部材６０を貫通している。一側面ａを有する側壁５６には、それぞれ片方の第１の雌ねじ部材６０に形成された雌ねじ穴６２の対の軸線とそれぞれ共通の軸線を有しかつ一端部に雌ねじ穴１７が形成された第２の雌ねじ部材６４の対が配設されている。第２の雌ねじ部材６４の各々において、雄ねじが形成された一端部（先端部）は、片方の第１の雌ねじ部材６０の、対応する雌ねじ穴６２にネジ係合され、他端面は、側壁５６の外面である一側面ａと同一面上に位置付けられ、雌ねじ穴１７は一側面ａに開口する。
【００２６】
相互に実質的に同じ形状及び大きさを有する第２の雌ねじ部材６４の各々は、比較的小径の丸棒部６４ａであって該雄ねじが形成された丸棒部６４ａと、丸棒部６４ａの一端に連結された比較的大径の円筒部６４ｂとからなり、円筒部６４ｂに雌ねじ穴１７が形成されている。円筒部６４ｂは、丸棒部６４ａとの接続部において閉塞されている。第２の雌ねじ部材６４の各々は、金属製の丸棒を切削加工することにより形成することができる。第２の雌ねじ部材６４の各々における円筒部６４ｂは、第１の雌ねじ部材６０の直径と同じに形成され、円筒部６４ｂの雌ねじ穴１７は、第１の雌ねじ部材６０の雌ねじ穴１７と同じ内径を有している。このような構成は、第１の雌ねじ部材６０及び第２の雌ねじ部材６４に対し、同じ外径の雄ねじを有するボルト（ねじの呼びが同じである雄ねじを有するボルト）、すなわち共通のボルト８３の使用を可能にする。
【００２７】
側壁５６の、第１の雌ねじ部材６０の各々に形成された雌ねじ穴６２の各々の軸線上には、それぞれ貫通穴が形成されている。貫通穴の各々は、第２の雌ねじ部材６４の円筒部６４ｂが嵌合しうる内径を有している。第２の雌ねじ部材６４の各々は、該雄ねじが形成された丸棒部６４ａが、第１の雌ねじ部材６０の雌ねじ穴６２にネジ係合され、円筒部６４ｂが側壁５６に形成された貫通穴に嵌合された状態で溶接により固着される。第２の雌ねじ部材６４の各々の一端面（円筒部６４ｂの一端面）は側壁５６の外面である一側面ａと同一面上に位置付けられる。
【００２８】
図１７及び図１８を参照して、支柱４Ｍの各々の下端部であって、支柱４Ｃの連結構造５０の各々に対応した高さ位置には、それぞれ、他の連結構造７０が上下方向に間隔をおいて３個配設されている。連結構造７０の各々は、相互に実質的に同一の構成を有するので、水平横方向の一側（図１８において下側）に位置する支柱４Ｍに配設された連結構造７０について説明する。
【００２９】
支柱４Ｍは、一側面ｃを有する側壁７２と、側壁７２に対向する側壁７４であって、一側面ｂを有する側壁７４と、一側面ａを有する側壁７６と、側壁７６に対向する側壁７８とを備えている。一側面ｃを有する側壁７２と一側面ｂを有する側壁７４との間には、同じ高さで水平方向に間隔をおいて平行に延在しかつ両端部に雌ねじ穴１７が形成された第１の雌ねじ部材８０の対が、それぞれ雌ねじ穴１７が側壁７２の外面である一側面ｃ及び側壁７４の外面である一側面ｂに開口するよう配設されている。第１の雌ねじ部材８０の各々は、連結構造５０の第１の雌ねじ部材６０の各々と同じ如くして、側壁７２及び７４間に固着される。一側面ａを有する側壁７６と、側壁７６側に位置する片方の第１の雌ねじ部材８０との間には、第２の雌ねじ部材８２の対が配設されている。第２の雌ねじ部材８２の各々は、連結構造５０の第２の雌ねじ部材６４の各々と同じ如くして、側壁７６と、該片方の第１の雌ねじ部材８０との間に固着される。図１８に示されているように、支柱４Ｃ及び４Ｍの各々は、それぞれに配設された連結構造５０及び７０の雌ねじ穴１７の対が、相互に対向するように各々の向きが設定される。
【００３０】
図３、図４、図１８及び図２０を参照して、水平横方向の一側において、水平縦方向の一端に位置する支柱４Ｃと水平縦方向の中央に位置する支柱４Ｍの下端部における一側面ｂと一側面ｂ間には、下水平縦梁１８の両端面がそれぞれ対向して位置付けられる。この状態で、下水平縦梁１８の両端の金具２２の矩形開口の他端（開口端）は、立体空間の水平縦方向内側に向けられ、金具２２の取付穴３６（上下それぞれ２個づつ）が、支柱４Ｃ及び４Ｍの下端部に配設された上下２個の連結構造５０及び上下２個の連結構造７０の雌ねじ穴１７（上下それぞれ２個づつ）に相互に整合され、それぞれボルト８３（図１８において１個だけ図示されている）により離脱自在に締結される。水平横方向の一側において、支柱４Ｍと支柱４Ｃの下端部における一側面ｃと一側面ａ間も、実質的に同じ如くして、下水平縦梁１８の両端面がそれぞれボルト８３により離脱自在に締結される。また、水平横方向の他側において、一端から他端に向ってそれぞれ順に水平縦方向に対向する、支柱４Ｃと支柱４Ｍの下端部における一側面ａと一側面ｃ間、及び、支柱４Ｍと支柱４Ｃの下端部における一側面ｂと一側面ｂ間も、実質的に同じ如くして、下水平縦梁１８の両端面がそれぞれボルト８３により離脱自在に締結される。このように、下水平縦梁１８の各々の両端と、対応する支柱４Ｃ及び４Ｍとの連結は、ボルト８３の締結操作のみで遂行されるので、容易かつ迅速に遂行される。下水平縦梁１８の各々の上面１８ａは、実質的に同一水平面上に位置付けられる。また、金具２２の矩形開口の他端（開口端）は、立体空間の水平縦方向内側に向けられるので、該内側からボルト８３の締結作業の遂行が可能になり、作業性の向上に寄与する。
【００３１】
水平縦方向の一端において、水平縦方向の一側において水平横方向に対向する、支柱４Ｃと支柱４Ｃの下端部における一側面ａと一側面ｂ間には、下水平横梁４０の両端面がそれぞれ対向して位置付けられる。この状態で、下水平横梁４０の両端の金具２２の矩形開口の他端（開口端）は、立体空間の水平縦方向内側に向けられ、金具２２の取付穴３６（上中下それぞれ２個づつ）が、支柱４Ｃ及び４Ｍの下端部に配設された上中下３個の連結構造５０及び上中下３個の連結構造７０の雌ねじ穴１７（上中下それぞれ２個づつ）に相互に整合され、それぞれボルト８３により離脱自在に締結される。水平縦方向の中央において、水平縦方向の一側から他側に向って水平横方向に対向する、支柱４Ｍと支柱４Ｍの下端部における一側面ａと一側面ａ間、及び、水平縦方向の他端において、水平縦方向の一側から他側に向って水平横方向に対向する、支柱４Ｃと支柱４Ｃの下端部における一側面ｂと一側面ａ間も、実質的に同じ如くして、下水平横梁４０の両端面がそれぞれボルト８３により離脱自在に締結される。このように、下水平横梁４０の各々の両端と、対応する支柱４Ｃ及び４Ｍとの連結は、ボルト８３の締結操作のみで遂行されるので、容易かつ迅速に遂行される。また、金具２２の矩形開口の他端（開口端）は、立体空間の水平縦方向内側に向けられるので、該内側からボルト８３の締結作業の遂行が可能になり、作業性の向上に寄与する。
【００３２】
図４及び図５から容易に理解されるように、実施形態において、基礎２は、地面Ｇにおける支柱４Ｃ及び４Ｍの各々が配置される位置の他に、下水平縦梁１８及び下水平横梁４０の各々における長手方向中央の下面に対向する位置にも配設されている。下水平縦梁１８及び下水平横梁４０の各々の該下面と、対向する基礎２の上面とは、わずかな隙間をおいて対向している。このような構成は、下水平縦梁１８及び下水平横梁４０の各々の過剰な撓みを防止できる。
【００３３】
図２４及び図２５には、下水平縦梁１８（図２０）の他の実施形態が示されている。この下水平縦梁８４は、本体８６が、鉄筋コンクリートに代えて、横断面が４角形の金属製角パイプから構成されていることが、下水平縦梁１８との構成上の大きな相違である。本体８６の両端には、下水平縦梁１８に備えられたのと実質的に同一の構成を有する金具２２が溶接により固着されている。雌ねじ穴３４は、本体８６に配設された円筒状の雌ねじ部材８８の上端部内に形成されている。雌ねじ部材８８は、本体８６の上壁８６ａと下壁８６ｂとに形成された、相互に同軸の貫通穴に挿入されかつ溶接により固着される。
【００３４】
図２６及び図２７には、下水平縦梁１８（図２０）の更に他の実施形態が示されている。この下水平縦梁９０は、本体９２が、鉄筋コンクリートに代えて、ウェブＷ、上フランジＵＦ及び下フランジＬＦからなるＨ鋼から構成されていることが、下水平縦梁１８との構成上の大きな相違である。本体９２の両端には、下水平縦梁１８に備えられたのと実質的に同一の構成を有する金具２２が溶接により固着されている。図示の実施形態において、本体９２の両端に矩形状の補強板９４が溶接により固着され、金具２２の各々は、対応する補強板９４に溶接により固着される。雌ねじ穴３４は、本体９２に配設された雌ねじ部材９６内に形成されている。本体９２の、雌ねじ穴３４を形成する位置には、一対の補強板９８が配設されている。ほぼ矩形状の補強板９８の各々は、ウェブＷを挟んだ対称位置において、それぞれウェブＷに直交するよう、上フランジＵＦと下フランジＬＦとの間に挿入され、溶接により固着されている。
【００３５】
本体９２の、雌ねじ穴３４を形成する位置には、ウェブＷの厚さ方向の中心を通り上下フランジＵＦ及びＬＦに直交する軸線と同心の取付穴９９であって、上フランジＵＦの上面からウェブＷ及び補強板９８の各々の上端部まで延在する取付穴９９が形成されている。下端が閉塞されかつ内部に雌ねじ穴３４が形成された円筒状の雌ねじ部材９６は、取付穴９９に、雌ねじ穴３４が上フランジＵＦの上面に開口するよう挿入されて溶接により固着される。雌ねじ部材９６は、金属製の丸棒を切削加工することにより形成することができ、一端から他端まで同径である。
【００３６】
図２４〜図２７に示された下水平縦梁８４及び９０は、下水平横梁４０の他の実施形態としても適用可能である。
【００３７】
図３、図６及び図７を参照して、水平横方向に対向する下水平縦梁１８の上面には、複数個の矩形状の床パネル、実施形態においては１階床パネル１００の両端部がそれぞれ載置されて連結される。実施形態において、１階床パネル１００は、水平縦方向に対向する支柱４Ｃと支柱４Ｍ間、支柱４Ｍと支柱４Ｃ間において、それぞれ３個配設される。
【００３８】
１階床パネル１００の各々は、相互に実質的に同一の構成を有しているので、その一つについて説明する。図３、図６及び図７を参照して、１階床パネル１００は、鉄筋コンクリート製の本体１０２を備えている。本体１０２は、実質的に一定の厚みを有しており、縦長の、実質的に矩形平面形状を有している。本体１０２の長手方向両端部には、それぞれ複数の、実施形態においては３個の金具１０４が一体に配設されている。本体１０２の両端部において、金具１０４は幅方向における両角部と中央部に配設されている。金具１０４の各々は、相互に実質的に同一の構成を有しているので、その一つを、図２８及び図２９を参照して説明する。
【００３９】
金具１０４は、横断面が４角形の中空本体１０６と、中空本体１０６の下端を覆う底壁１０８と、中空本体１０６の上端よりも下方の上端部内に一体に配設された支持壁１１０と、矩形状のカバー板１１２とを備えている。実施形態において、これらの構成部材は板金から形成されている。矩形状の底壁１０８の中央には取付穴１１４が形成されている。矩形状の支持壁１１０の中央には、手を挿入するための貫通穴１１６が形成されかつ４つの角部には、それぞれ雌ねじ穴１１８が形成されている。カバー板１１２の中央には貫通穴１２０が形成されかつ該中央上面にはナット１２２が固着されている。貫通穴１２０とナット１２２の雌ねじ穴１２３とは同一軸線上に存在する。カバー板１１２の４つの角部には、それぞれ取付穴１２４が形成されている。金具１０４のカバー板１１２を除く他の構成部材は、本体１０２に一体に配設される。金具１０４の下端面（更に具体的には、中空本体１０６の下端面及び底壁１０８の下面）は、１階床パネル１００の下面と実質的に同一水平面上に存在する。
【００４０】
図３、図６、図７及び図３０を参照して、１階床パネル１００は、金具１０４が配設された両端部の下面が、それぞれ水平横方向に対向する下水平縦梁１８の上面１８ａに載置される。実施形態において、水平縦方向に対向する支柱４Ｃと４Ｍとの間に３個、支柱４Ｍと４Ｃとの間に３個、それぞれ載置される。１階床パネル１００の各々の両端部の下面がそれぞれ水平横方向に対向する下水平縦梁１８の上面１８ａに載置された状態で、金具１０４の各々の底壁１０８に形成された取付穴１１４が、下水平縦梁１８の上面に開口する雌ねじ穴３４に整合される。金具１０４の各々においてカバー板１１２（図２８）が離脱された状態で、１階床パネル１００の各々の該両端部と下水平縦梁１８とは、相互に整合された取付穴１１４と雌ねじ穴３４を介してボルト１２８により離脱自在に締結される（図３０参照）。ボルト１２８の締結操作は、１階床パネル１００の各々の両端部を対応する下水平縦梁１８上に載置した状態であっても、金具１０４の支持壁１１０に形成された貫通穴１１６から手を挿入して遂行でき、しかも、該立体空間の内側で遂行可能であるので、作業性の向上に寄与する。
【００４１】
１階床パネル１００の各々が、上記したとおりにして、対応する下水平縦梁１８上に取り付けられた状態で、１階床パネル１００の各々において、金具１０４の各々のカバー板１１２が、中空本体１０６の上端部内において、支持壁１１０の上に重合されると、カバー板１１２の取付穴１２４は支持壁１１０の雌ねじ穴１１８に整合される。そして、カバー板１１２は支持壁１１０に、相互に整合された取付穴１２４と雌ねじ穴１１８を介してボルト１３０により離脱自在に締結される（図３０）。カバー板１１２が支持壁１１０に締結された状態で、金具１０４の各々の上端面は、中空本体１０６の上端面と、カバー板１１２のナット１２２の上端面とにより構成されかつ、１階床パネル１００の上面１００ａと実質的に同一水平面上に存在する（図２９参照）。金具１０４の各々におけるナット１２２の雌ねじ穴１２３は、対応する１階床パネル１００の上面１００ａに開口する雌ねじ穴１２３を構成する。上記金具１０４によれば、１階床パネル１００を下水平縦梁１８上に載置した状態で下水平縦梁１８に締結可能であるとともに、１階床パネル１００の上面１００ａに開口する雌ねじ穴１２３をも形成できるので、後の説明から容易に理解されるように、組付け作業性の向上に寄与するものである。
【００４２】
１階床パネル１００の各々が、対応する下水平縦梁１８上に取り付けられた状態で、１階床パネル１００の各々の上面１００ａは、相互に実質的に同一水平面上に存在しかつ、下水平横梁４０の各々の上面４０ａと実質的に同一水平面上に存在する。
【００４３】
図３、図６及び図７を参照して、３個の１階床パネル１００の一端部（金具１０４が配設された一端部）であって、水平横方向の一側（図７において下側）の一端部における上面と、該一端部において水平縦方向に対向する、支柱４Ｃの一側面ｂ及び支柱４Ｍの一側面ｂとの間に形成される水平縦空間、及び、該３個の１階床パネル１００の他端部（金具１０４が配設された他端部）であって、水平横方向の他側（図７において上側）の他端部における上面と、該他端部において水平縦方向に対向する、支柱４Ｃの一側面ａ及び支柱４Ｍの一側面ｃとの間に形成される水平縦空間には、それぞれ水平縦壁パネルである矩形状の１階水平縦壁パネル１４０が挿入されて離脱自在に連結される。また、他の３個の１階床パネル１００の一端部（金具１０４が配設された一端部）であって、水平横方向の一側（図７において下側）の一端部における上面と、該一端部において水平縦方向に対向する、支柱４Ｍの一側面ｃ及び支柱４Ｃの一側面ａとの間に形成される水平縦空間、及び、該３個の１階床パネル１００の他端部（金具１０４が配設された他端部）であって、水平横方向の他側（図７において上側）の他端部における上面と、該他端部において水平縦方向に対向する、水平縦方向に対向する支柱４Ｍの一側面ｂ及び支柱４Ｃの一側面ｂとの間に形成される水平縦空間には、それぞれ水平横壁パネルである矩形状の１階水平縦壁パネル１４０が挿入されて離脱自在に連結される。
【００４４】
１階水平縦壁パネル１４０は相互に実質的に同一の構成を有しているので、そのうちの一つについて説明する。図２及び図３１を参照して、１階水平縦壁パネル１４０は、矩形状の鉄筋コンクリート製の本体１４１と、本体１４１の周縁全周を囲む矩形状の周縁部１４２とを備えている。周縁部１４２は、一定の幅で相互に平行に延在する内壁１４３及び外壁１４４と、内壁１４３及び外壁１４４の幅方向の一端間を内壁１４３及び外壁１４４に直角に延在する底壁１４５とを有しかつ、開放端が該立体空間の水平方向内側に向けられるチャンネル形金属板部材から構成される。周縁部１４２を構成するチャンネル形金属板部材は、一般的にはチャンネル形鋼板部材でよい。外壁１４４の全周には、複数の取付穴１４６が外壁１４４の延在方向に間隔をおいて形成されている。水平縦壁パネル１４０の周縁部１４２を構成する内壁１４３及び外壁１４４の内側には、複数の矩形状の補強金属板１４７が、１４３及び外壁１４４の延在方向に間隔をおいてかつ、内壁１４３、外壁１４４及び底壁１４５に対し直角に配設される（溶接により固着される）。周縁部１４２の底壁１４５側の外面は、本体１４１の外面（図３１における表面）と実質的に同一平面上に存在し、周縁部１４２の開口端は、本体１４１の内面（図３１における裏面、図２における表面）と実質的に同一平面上に存在する。
【００４５】
１階水平縦壁パネル１４０の外周面は、矩形状の外壁１４４の外面により形成される水平な上端面１４４ａと、上端面１４４ａと平行に延在する下端面１４４ｂと、上端面１４４ａ及び下端面１４４ｂの両端間をそれぞれ延在する鉛直面１４４ｃとを備えている。外壁１４４に形成された取付穴１４６の各々は、上端面１４４ａ、下端面１４４ｂ及び鉛直面１４４ｃにそれぞれ開口する。
【００４６】
図１６及び図１９を参照して、支柱４Ｃの各々の中央部と下端部との間には、連結構造１５０が上下方向に間隔をおいて４個配設されている。連結構造１５０の各々は、相互に実質的に同一の構成を有するので、水平縦方向の一端でありかつ水平横方向の一側である角（図１９において左下の角）に位置する支柱４Ｃに配設された連結構造１５０について説明する。
【００４７】
支柱４Ｃの、一側面ａを有する側壁５６と側壁５８との間には、一端部に雌ねじ穴１７が形成された第１の雌ねじ部材１５２が、雌ねじ穴１７が側壁５６の外面である一側面ａに開口するよう配設されている。側壁５６及び側壁５８の、第１の雌ねじ部材１５２の装着位置に対応する位置には、それぞれ共通の軸線を有する貫通穴が形成され、第１の雌ねじ部材１５２が、対応する該貫通穴の各々に嵌合された状態で溶接により固着される。第１の雌ねじ部材１５２の一端面は側壁５６の外面である一側面ａと同一面上に位置付けられ、第１の雌ねじ部材１５２の他端面は側壁５８の外面と同一面上に位置付けられる。第１の雌ねじ部材１５２は、金属製の丸棒を切削加工することにより形成することができ、一端から他端まで同径である。
【００４８】
第１の雌ねじ部材１５２には、第１の雌ねじ部材１５２の軸線に水平に直交する軸線を有する雌ねじ穴１５４が形成されている。雌ねじ穴１５４は第１の雌ねじ部材１５２を貫通している。一側面ｂを有する側壁５２には、第１の雌ねじ部材１５２に形成された雌ねじ穴１５４の軸線と共通の軸線を有しかつ一端部に雌ねじ穴１７が形成された第２の雌ねじ部材１５６が配設されている。第２の雌ねじ部材１５６において、雄ねじが形成された一端部（先端部）は、第１の雌ねじ部材１５２の雌ねじ穴１５４にネジ係合され、他端面は、側壁５２の外面である一側面ｂと同一面上に位置付けられ、雌ねじ穴１７は一側面ｂに開口する。
【００４９】
第２の雌ねじ部材１５６は、比較的小径の丸棒部１５６ａであって該雄ねじが形成された丸棒部１５６ａと、丸棒部１５６ａの一端に連結された比較的大径の円筒部１５６ｂとからなり、円筒部１５６ｂに雌ねじ穴１７が形成されている。円筒部１５６ｂは、丸棒部１５６ａとの接続部において閉塞されている。第２の雌ねじ部材１５６は、金属製の丸棒を切削加工することにより形成することができる。第２の雌ねじ部材１５６の円筒部１５６ｂは、第１の雌ねじ部材１５２の直径と同じに形成され、円筒部１５６ｂの雌ねじ穴１７は、第１の雌ねじ部材１５２の雌ねじ穴１７と同じ内径を有している。このような構成は、第１の雌ねじ部材１５２及び第２の雌ねじ部材１５６に対し、同じ外径の雄ねじを有するボルト８３（ねじの呼びが同じである雄ねじを有するボルト）、すなわち共通のボルト８３の使用を可能にする。
【００５０】
側壁５２の、第１の雌ねじ部材１５２に形成された雌ねじ穴１５４の軸線上には貫通穴が形成されている。貫通穴は、第２の雌ねじ部材１５６の円筒部１５６ｂが嵌合しうる内径を有している。第２の雌ねじ部材１５６は、該雄ねじが形成された丸棒部１５６ａが、第１の雌ねじ部材１５２の雌ねじ穴１５４にネジ係合され、円筒部１５６ｂが側壁５２に形成された貫通穴に嵌合された状態で溶接により固着される。第２の雌ねじ部材１５６の各々の一端面（円筒部１５６ｂの一端面）は側壁５２の外面である一側面ｂと同一面上に位置付けられる。
【００５１】
図１７及び図１９を参照して、支柱４Ｍの各々の中央部と下端部との間であって、支柱４Ｃの連結構造１５０の各々に対応した高さ位置には、それぞれ、他の連結構造１６０が上下方向に間隔をおいて４個配設されている。連結構造１６０の各々は、相互に実質的に同一の構成を有するので、水平横方向の一側（図１９において下側）に位置する支柱４Ｍに配設された連結構造１６０について説明する。
【００５２】
支柱４Ｍの一側面ｃを有する側壁７２と一側面ｂを有する側壁７４との間には、両端部に雌ねじ穴１７が形成された第１の雌ねじ部材１６２が、雌ねじ穴１７が側壁７２の外面である一側面ｃ及び側壁７４の外面である一側面ｂに開口するよう配設されている。第１の雌ねじ部材１６２は、連結構造１５０の第１の雌ねじ部材１５２と同じ如くして、側壁７２及び７４間に固着される。一側面ａを有する側壁７６と、第１の雌ねじ部材１６２との間には、第２の雌ねじ部材１６４が配設されている。第２の雌ねじ部材１６４は、連結構造１５０の第２の雌ねじ部材１５６と同じ如くして、側壁７６と、第１の雌ねじ部材１６２との間に固着される。図１９に示されているように、支柱４Ｃ及び４Ｍの各々は、それぞれに配設された連結構造１５０及び１６０の雌ねじ穴１７の対が、相互に対向するように各々の向きが設定される。
【００５３】
図２、図３、図７及び１９を参照して、１階水平縦壁パネル１４０が、３個の１階床パネル１００の一端部（金具１０４が配設された一端部）であって、水平横方向の一側（図７において下側）の一端部における上面と、該一端部において水平縦方向に対向する、支柱４Ｃの一側面ｂ及び支柱４Ｍの一側面ｂとの間に形成される水平縦空間に挿入された状態で、１階水平縦壁パネル１４０の各々の外壁１４４の下端面１４４ｂは、１階床パネル１００の該一端部における上面に載置される。１階水平縦壁パネル１４０の各々の周縁部１４２の開放端は、該立体空間の水平方向内側に向けられる。１階水平縦壁パネル１４０の各々の外壁１４４の下端面１４４ｂに開口する取付穴１４６は、１階床パネル１００の該上面に開口する雌ねじ穴１２３と整合する。１階水平縦壁パネル１４０の下端面１４４ｂと１階床パネル１００の該上面とは、相互に整合される取付穴１４６及び雌ねじ穴１２３を介してボルト８３（図１９において１個だけ図示されている）により離脱自在に締結される。
【００５４】
１階水平縦壁パネル１４０の外壁１４４の片方の鉛直面１４４ｃは、支柱４Ｃの一側面ｂに対向し、片方の鉛直面１４４ｃに開口する取付穴１４６は、支柱４Ｃに配設された上記連結構造１５０の各々の、一側面ｂに開口する雌ねじ穴１７と整合する。１階水平縦壁パネル１４０の片方の鉛直面１４４ｃと支柱４Ｃの一側面ｂとは、相互に整合される取付穴１４６及び雌ねじ穴１７を介してボルト８３（図１９）により離脱自在に締結される。他方の鉛直面１４４ｃは支柱４Ｍの一側面ｂに対向し、他方の鉛直面１４４ｃに開口する取付穴１４６は、支柱４Ｍに配設された上記連結構造１６０の各々の、一側面ｂに開口する雌ねじ穴１７と整合する。１階水平縦壁パネル１４０の他方の鉛直面１４４ｃと支柱４Ｍの一側面ｂとは、相互に整合される取付穴１４６及び雌ねじ穴１７を介してボルト８３（図１９）により離脱自在に締結される。
【００５５】
該３個の１階床パネル１００の他端部（金具１０４が配設された他端部）であって、水平横方向の他側（図７において上側）の他端部における上面と、該他端部において水平縦方向に対向する、支柱４Ｃの一側面ａ及び支柱４Ｍの一側面ｃとの間に形成される水平縦空間に挿入された１階水平縦壁パネル１４０と相互の締結、他の３個の１階床パネル１００の一端部（金具１０４が配設された一端部）であって、水平横方向の一側（図７において下側）の一端部における上面と、該一端部において水平縦方向に対向する、支柱４Ｍの一側面ｃ及び支柱４Ｃの一側面ａとの間に形成される水平縦空間に挿入された１階水平縦壁パネル１４０と相互の締結、及び、該３個の１階床パネル１００の他端部（金具１０４が配設された他端部）であって、水平横方向の他側（図７において上側）の他端部における上面と、該他端部において水平縦方向に対向する、支柱４Ｍの一側面ｂ及び支柱４Ｃの一側面ｂとの間に形成される水平縦空間に挿入された１階水平縦壁パネル１４０と相互の締結も、先の締結におけるのと実質的に同じ如くして、ボルト８３（図１９）により離脱自在に遂行される。
【００５６】
このように、１階水平縦壁パネル１４０を、上記水平縦空間に挿入した状態で、該立体空間の内側から、ボルト８３の締結作業を行うことにより、上記所定の位置に、容易かつ迅速に取り付けることができる。
【００５７】
１階水平縦壁パネル１４０と実質的に同一の構成を有する１階水平横壁パネル１４０B（図１、図２、図９参照）は、水平縦方向の一端において水平横方向に対向する支柱４Ｃの下端部における一側面ａと一側面ｂ間を延在する下水平横梁４０の上面４０ａと、該支柱４Ｃの一側面ａと一側面ｂとの間に形成される水平横空間に挿入される、及び／又は、水平縦方向の他一端において水平横方向に対向する支柱４Ｃの下端部における一側面ｂと一側面ａ間を延在する下水平横梁４０の上面４０ａと、該支柱４Ｃの一側面ｂと一側面ａとの間に形成される水平横空間に挿入される。実施形態においては、水平縦方向の一端及び他端において、１階水平横壁パネル１４０Bが配設されている。もちろん、１階水平横壁パネル１４０Bは、水平縦方向の中間において水平横方向に対向する支柱４Ｍの下端部における一側面ａと一側面ａ間を延在する下水平横梁４０の上面４０ａと、該支柱４Ｍの一側面ａと一側面ａとの間に形成される水平横空間に挿入される実施形態もある。１階水平横壁パネル１４０Bの各々は、１階水平横壁パネル１４０におけるのと実質的に同じ如くして、対応する下水平横梁４０及び支柱４Ｃの各々に離脱自在に締結される。
【００５８】
図１、図３、図８及び図１１を参照して、１階水平縦壁パネル１４０の上端面１４４ａの各々は、相互に実質的に同一水平面上に位置付けられる。そして、複数個の矩形状のパネル部材である２階床パネル１７０の両端部の下面が、それぞれ水平横方向に対向する水平縦壁パネル１４０の上端面１４４ａに載置される。
【００５９】
実施形態において、２階床パネル１７０は、水平縦方向に対向する支柱４Ｃと支柱４Ｍ間、支柱４Ｍと支柱４Ｃ間において、それぞれ３個配設される。
【００６０】
２階床パネル１７０の各々は、相互に実質的に同一の構成を有しているので、その一つについて説明する。図３２を参照して、２階床パネル１７０は、鉄筋コンクリート製の本体１７２を備えている。本体１７２は、実質的に一定の厚みを有しており、縦長の、実質的に矩形平面形状を有している。本体１７２の長手方向両端部には、それぞれ複数の、実施形態においては３個の金具１７４が一体に配設されている。本体１７２の両端部において、金具１７４は幅方向における両角部と中央部に配設されている。金具１７４の各々は、相互に実質的に同一の構成を有しているので、その一つを、図３３及び図３４を参照して説明する。
【００６１】
金具１７４は、横断面が４角形の中空本体１７６と、中空本体１７６の上端を覆う天壁１７８と、中空本体１７６の下端を覆う底壁１８０とを備えている。実施形態において、これらの構成部材は板金から形成されている。矩形状の天壁１７８及び底壁１８０の中央には、それぞれ雌ねじ穴１８２及び１８４が形成されている。金具１７４の上端面及び下端面は、それぞれ２階床パネル１７０の上面１７０ａ及び下面１７０ｂと実質的に同一水平面上に存在する。金具１７４の各々の雌ねじ穴１８２は、２階床パネル１７０の両端部の上面に開口する雌ねじ穴１８２を構成し、金具１７４の各々の雌ねじ穴１８４は、２階床パネル１７０の両端部の下面に開口する雌ねじ穴１８４を構成する。なお、図３５に示されているように、雌ねじ穴１８２及び１８４の対を金具１７４により形成する構成に代えて、２階床パネル１７０の本体１７２に埋設した２個のインサートナット１８６により構成する他の実施形態、あるいは、２階床パネル１７０の本体１７２に埋設した１個のインサートナット１８８であって、両端部にそれぞれ雌ねじ穴１８２及び１８４が形成された１個のインサートナット１８８により構成する更に他の実施形態もある。
【００６２】
図１〜図３及び図１１を参照して、２階床パネル１７０の各々の両端部の下面が、それぞれ水平横方向に対向する水平縦壁パネル１４０の上端面１４４ａに載置されると、２階床パネル１７０の各々の両端部の下面に開口する雌ねじ穴１８４（図３３）の各々が、対応する水平縦壁パネル１４０の上端面１４４ａに開口する取付穴１４６に整合される。２階床パネル１７０の各々の両端部の下面と、対応する水平縦壁パネル１４０の上端面１４４ａとは、相互に整合される取付穴１４６と雌ねじ穴１８４を介して図示しないボルトにより離脱自在に締結される。
【００６３】
図２、図３、図１０及び図１９を参照して、それぞれ水平横方向に対向する支柱４Ｃと支柱４Ｃの一側面ａと一側面ｂ間、支柱４Ｍと支柱４Ｍの一側面ａと一側面ａ間、及び、支柱４Ｃと支柱４Ｃの一側面ｂと一側面ａ間の、２階床パネル１７０と同じ高さ位置には、中間水平横梁１９０の両端がそれぞれ連結される。相互に実質的に同一の構成を有する中間水平横梁１９０の各々は、先に述べた下水平縦梁１８（図２０）とほぼ同一の構成を有しているが、上面及び下面に開口する複数の雌ねじ穴３４が配設されている構成が相違する。すなわち、中間水平横梁１９０の各々の両端部に配設された金具２２の上壁２４及び下壁２６に雌ねじ穴３４が形成され、本体１９２にも上面とともに下面に開口する複数の雌ねじ穴３４が形成される。中間水平横梁１９０の各々の高さ（厚み）は２階床パネル１７０のそれと同じである。２階床パネル１７０の各々の上面及び下面は、それぞれ、中間水平横梁１９０の各々の上面及び下面と実質的に同一水平面上に存在する。
【００６４】
水平縦方向の一端及び他端において、水平横空間の各々に挿入された１階水平横壁パネル１４０Bの上端面１４４ａ（図２）と、中間水平横梁１９０の下面が対向しかつ、相互に整合される雌ねじ穴３４（中間水平横梁１９０の下面に開口）及び１階水平横壁パネル１４０Bの上端面１４４ａの取付穴１４６を介してボルト８３により離脱自在に締結される。
【００６５】
図１〜図３、図８及び図９を参照して、支柱の各々は、２階床パネルの上面を越えて上方に同じ高さまで延び出している。１階におけると実質的に同じ如くして、それぞれ３個の２階床パネル１７０の両端部における上面と該両端部においてそれぞれ水平縦方向に対向する支柱４Ｃ及び４Ｍ間、支柱４Ｍ及び４Ｃ間にそれぞれ形成される水平縦空間には、１階水平縦壁パネル１４０の周縁部１４２と実質的に同じ構成を有する周縁部１４２を備えた２階水平縦壁パネル２００が挿入され、立体空間の内側からボルト８３（図１９）により離脱自在に締結される。支柱４Ｃ及び４Ｍの雌ねじ穴１７は、２階床パネル１７０の各々の上面１７０ａを越えて延び出した領域に配設された連結構造１５０及び１６０（図１９）による。実施形態において、２階水平縦壁パネル２００は、１階水平縦壁パネル１４０と実質的に同じ構成を有している。
【００６６】
１階におけると実質的に同じ如くして、水平縦方向の一端及び他端において水平横方向に対向する支柱４Ｃ及び４Ｃの該高さ位置間を延在する中間水平横梁１９２の上面と支柱４Ｃ及び４Ｃとの間に形成される水平横空間には、１階水平横壁パネル１４０Ｂの周縁部１４２と実質的に同じ構成を有する周縁部１４２を備えた２階水平横壁パネル２１０が挿入され、立体空間の内側からボルト８３（図１９）により離脱自在に締結される。支柱４Ｃ及び４Ｍの雌ねじ穴１７は、２階床パネル１７０の各々の上面１７０ａを越えて延び出した領域に配設された連結構造１５０及び１６０（図１９）による。実施形態において、２階水平横壁パネル２１０は、１階水平横壁パネル１４０Ｂと実質的に同じ構成を有している。
【００６７】
２階水平縦壁パネル２００及び２階水平横壁パネル２１０の各々の上端面と、支柱４Ｃ及び４Ｍの各々の上端面とは、実質的に同一水平面上に存在する。それぞれ水平横方向に対向する２階水平縦壁パネル２００の上端面及び支柱４Ｃ及び４Ｍの上端面により、水平縦方向に平行に延在するよう形成される一対の水平縦上端面には、複数の矩形状の屋根パネル２２０の両端部における下面が載置される。水平縦方向の一端及び他端に存在する屋根パネル２２０の下面の、水平横方向に延在する一部領域は、対応する２階水平横壁パネル２１０の上端面に載置される。
【００６８】
屋根パネル２２０の各々は、相互に実質的に同じ構成を有しているので、その一つについて説明する。図３７〜図４０を参照して、屋根パネル２２０は、鉄筋コンクリート製の本体２２２を備えている。本体２２２は、実質的に一定の厚みを有しており、縦長の、実質的に矩形平面形状を有している。本体２２２の長手方向両端部には、それぞれ複数の、実施形態においては３個の（合計６個の）雌ねじ穴２２４が、下面２２２ａに開口するよう配設されている。本体２２２にはまた、４個の雌ねじ穴２２４が、上面２２２ｂに開口するよう配設されている。雌ねじ穴２２４の各々は、本体１７２に埋設された図示しないインサートナットにより形成される。屋根パネル２２０の上面２２２ｂに開口する雌ねじ穴２２４の各々は、クレーンによる吊り上げ用の図示しないアイボルトを装着するために利用される。屋根パネル２２０の幅方向の両側部の上面２２２ｂには、長手方向に直線状に延在するスリット２２６が形成されている。
【００６９】
水平縦方向の一端及び他端に存在する屋根パネル２２０の該一部領域には、下面に開口する複数個の雌ねじ穴２２４（図８）が配設される。雌ねじ穴２２４の各々は、本体１７２に埋設された図示しないインサートナットにより形成される。
【００７０】
それぞれ水平横方向に対向する２階水平縦壁パネル２００の上端面１４４ａ及び支柱４Ｃ及び４Ｍの上端面により、水平縦方向に平行に延在するよう形成される一対の水平縦上端面には、複数の矩形状の屋根パネル２２０の両端部における下面が載置され、それぞれ相互に整合される２階水平縦壁パネル２００の上端面１４４ａの取付穴１４６及び屋根パネル２２０の両端部における下面に開口する雌ねじ穴２２４を介してボルト８３（図１９）により離脱自在に締結される。水平縦方向の一端及び他端に存在する屋根パネル２２０の下面の、水平横方向に延在する一部領域は、対応する２階水平横壁パネル２１０の上端面に載置され、それぞれ相互に整合される２階水平縦壁パネル２００の上端面１４４ａの取付穴１４６及び屋根パネル２２０の下面の、水平横方向に延在する一部領域に開口する雌ねじ穴２２４を介してボルト８３（図１９）により離脱自在に締結される。
【００７１】
水平縦方向に隣合う屋根パネル２２０において、相互に水平縦方向に隣合う一側部の各々の上面に形成されたスリット２２６（図４１参照）には、それぞれ一定の鉛直長さを有しかつ、平縦方向に間隔をおいて水平横方向に平行に延在する側壁２３０ａと、側壁２３０ａの上端間に一体に配設された水平上壁２３０ｂとからなるチャンネル形の防水カバー２３０の側壁２３０ａが挿入される。これにより、水平縦方向に隣合う屋根パネル２２０間の隙間からの水の浸入が防止される。防水カバー２３０は例えばアルミニウム、ＳＵＳなどの金属板、適宜の合成樹脂製の板から構成することができる。
【００７２】
図１２及び図１３には、１階水平縦壁パネル１４０、１階水平横壁パネル１４０Ｂ、２階水平縦壁パネル２００、２階水平横壁パネル２１０に、窓やドアなどが装着された立体構築物３００が図示されている。図１４には、完成された立体構築物３００が図示されている。
【００７３】
上記実施形態において、１階床パネル１００（図２）、２階床パネル１７０（図２）及び屋根パネル２２０（図３８〜図４０）は、少なくとも１個の断熱及び／又は吸音のための部材２３０が埋設されている鉄筋コンクリート製の本体１０２、１７２、２２２を有している。部材２３０は例えば、発泡スチロールからなる。部材２３０を埋設することにより軽量化を図ることもできる。
【００７４】
図４２及び図４３には、本発明の他の実施形態である一階建ての立体構築物４００が図示されている。立体構築物４００は、４本の支柱４Ｃと、２本の下水平縦梁１８と、２本の下水平横梁４０と、３個の１階床パネル１００と、２個の水平縦壁パネル１４０と、２個の水平横壁パネル１４０Ｂと、４個の屋根パネル２２０とから構成されている。
【００７５】
図４４には、本発明の更に他の実施形態である一階建ての立体構築物５００が図示されている。立体構築物５００は、４本の支柱４Ｃと、２本の下水平縦梁１８と、２本の下水平横梁４０と、２個の水平縦壁パネル１４０と、２個の水平横壁パネル１４０Ｂと、４個の屋根パネル２２０とから構成され、１階床パネル１００は存在しない。基礎２は、いわゆるべた基礎（ここでは、単一の鉄筋コンクリート製のスラブ）であり、床として機能させている。
【００７６】
本発明による立体構築物によれば、水平横方向に対向する１階水平縦壁パネル１４０の上端面１４４ａにパネル部材である２階床パネル１７０又は屋根パネル２２０を載置して連結する構成を備えているので、１階水平縦壁パネル１４０の各々の上端面１４４ａに沿って水平縦方向に延在する梁が不要となり、梁の数を低減して、全体の構成のシンプル化及びコストダウンを可能にする。また、全体を壁構造とすることができるので、簡潔な構造で所要の強度を確保できる。特に１階水平横壁パネル１４０Ｂを増加することにより、全体の強度を容易に向上することができる。また、個々の組立要素の構成（例えば、立体構築物３００の場合、支柱４Ｃ、４Ｍ、下水平縦梁１８、下水平横梁４０、１階床パネル１００、１階水平縦壁パネル１４０、１階水平横壁パネル１４０Ｂ、２階床パネル１７０、中間水平横梁１９０、２階水平縦壁パネル２００、２階水平横壁パネル２１０、屋根パネル２２０など）がシンプルであり、したがって、全体の構成がシンプルとなるので、コストダウンを可能にする。また、立体空間の内側から、全ての構成要素同士におけるボルトによる締結作業の遂行が可能であるので、組立現場における組立作業が容易かつ迅速に遂行でき、組立期間を短縮することを可能にすると共に、十分な強度を確保することを可能にする。更にはまた、ボルトにより全ての構成要素の組立が可能であるので、組立作業の容易化、迅速化、組立期間の短縮に寄与するものである。また、１階水平縦壁パネル１４０、１階水平横壁パネル１４０Ｂなど、全ての壁パネルの構成が従来に較べてシンプル化され、しかも、ボルトによる締結作業も容易に遂行可能であるので、壁パネル自体のコストダウン、組立作業の容易化、迅速化に寄与する。更にはまた、構成要素の種類が少ないので、組立作業の容易化、迅速化及びコストダウンに寄与する。一階建ての立体構築物４００、５００においても、上記した種々の効果を得ることができる。本発明による立体構築物によれば、水平横方向及び／又は水平縦方向に面積を所望のとおりに増加させることは容易である。また、鉛直上方への増加も容易に可能である。更にはまた、全ての構成要素を実質的に鉄筋コンクリートで製造できるので、構成のシンプル化及びコストダウンに寄与する。
【００７７】
上記立体構築物において、支柱４Ｃ、４Ｍは、横断面が４角形の金属製角パイプから構成されているが、これに代えて、鉄筋コンクリートから構成する他の実施形態もある。その場合、雌ねじ穴１７は、埋設されたインサートナットにより構成される。
【図面の簡単な説明】
【００７８】
【図１】図３に示す立体構築物を、一部を省略しかつ分解して模式的に示す斜視図である。
【図２】図１に示す立体構築物の一部を、別の角度から見た斜視図であって、一部を断面にして、また他の一部を透視図にして示す斜視図である。
【図３】本発明に従って構成された立体構築物の実施形態を示す斜視図であって、一部を省略し、他の一部を断面にし、更に他の一部を透視図にして示す斜視図である。
【図４】図３に示す立体構築物における基礎、支柱、下水平縦梁及び下水平横梁の組付状態を示す平面図である。
【図５】図４に示す基礎、支柱及び下水平縦梁を、図４において下方から見た構成図であって、支柱の一部を省略して示す構成図である。
【図６】図５に示す下水平縦梁上に複数の床パネルが装着された状態を示す構成図である。
【図７】図６の平面図である。
【図８】図３に示す立体構築物を、図３において矢印Ａ方向に見た側面構成図である。
【図９】図８に示す立体構築物を、図８において右方から見た後面構成図である。
【図１０】図３に示す立体構築物を、図３において矢印Ｂ方向に見た正面図であって、１階及び２階水平横壁パネルを取り除いて示す正面構成図である。
【図１１】図９に示す立体構築物において、支柱と、１階及び２階水平横壁パネルを取り除いて示す図である。
【図１２】図３に示す立体構築物の完成された状態を、図３において矢印Ｂ方向に見た正面図である。
【図１３】図３に示す立体構築物の完成された状態を、図３において矢印Ａ方向に見た側面図である。
【図１４】図３に示す立体構築物を、完成された状態で示す斜視図である。
【図１５】図３に示す立体構築物における支柱と基礎とを分解して示す部分側面図であって、基礎を断面で示す部分側面図である。
【図１６】図４に示す支柱のうち、４つの角に配置される支柱の側面図である。
【図１７】図４に示す支柱のうち、中間に配置される支柱の側面図である。
【図１８】図１６及び図１７に示す支柱が図４に示す如く配置された状態で、支柱の各々の一つの連結構造を共通の水平断面で示す配置図である。
【図１９】図１６及び図１７に示す支柱が図４に示す如く配置された状態で、支柱の各々の他の一つの連結構造を共通の水平断面で示す配置図である。
【図２０】図３に示す立体構築物に備えられた下水平縦梁の一部を省略して示す斜視概略図である。
【図２１】図２０に示す下水平縦梁に備えられた一つの金具のＣ矢視図である。
【図２２】図１９に示す下水平縦梁の、一つのインサートナットが埋設された部分の断面図である。
【図２３】図３に示す立体構築物に備えられた下水平横梁の斜視図である。
【図２４】図３に示す立体構築物に備えられた下水平横梁の他の実施形態の一部を示す斜視図であって、一部を断面にして示す斜視図である。
【図２５】図２４に示す下水平横梁の、一つの雌ねじ部材が埋設された部分の断面図である。
【図２６】図３に示す立体構築物に備えられた下水平横梁の更に他の実施形態の一部を示す斜視図であって、一部を断面にして示す斜視図である。
【図２７】図２６に示す下水平横梁の、一つの雌ねじ部材が埋設された部分の断面図である。
【図２８】図３に示す立体構築物に備えられた１階床パネルの両端部に配設される金具の分解斜視図である。
【図２９】図２８に示す金具が１階床パネルに一体に配設された状態を示す断面図である。
【図３０】図３に示す立体構築物において、下水平縦梁と、１階床パネルと、１階水平縦壁パネルとが、図２９に示す金具を介して連結された状態を示す部分断面図である。
【図３１】図３に示す立体構築物に備えられた１階水平縦壁パネルを、立体構築物の外側から見た外面図である。
【図３２】図３に示す立体構築物に備えられた２階床パネルの斜視図である。
【図３３】図３２に示す２階床パネルの一つの角部を示す斜視概略図である。
【図３４】図３３のD-D矢視断面図である。
【図３５】図３３に示す金具に代わる他の実施形態を示す断面図である。
【図３６】図３３に示す金具に代わる更に他の実施形態を示す断面図である。
【図３７】図３に示す立体構築物に備えられた一つの屋根パネルの平面図である。
【図３８】図３７に示す屋根パネルを、図３７において下方から見た側面図である。
【図３９】図３７に示す屋根パネルを、図３７において左方から見た側面図である。
【図４０】図３７に示す屋根パネルを、図３７において裏面から見た図である。
【図４１】図３に示す立体構築物に備えられた、相互に隣合う屋根パネルの各々の側部及び該側同士を連結する防水カバーの分解断面図である。
【図４２】本発明による立体構築物の他の実施形態を示す正面図である。
【図４３】図４２に示す立体構築物の側面図である。
【図４４】本発明による立体構築物の更に他の実施形態を示す正面図である。
【図４５】図４４に示す立体構築物の側面図である。
【符号の説明】
【００７９】
２：基礎
４Ｃ、４Ｍ：支柱
１８：下水平縦梁
４０：下水平横梁
１００：１階床パネル
１４０：１階水平縦壁パネル
１４０Ｂ：１階水平横壁パネル
１７０：２階床パネル
１９０：中間水平横梁
２００：２階水平縦壁パネル
２１０：２階水平横壁パネル
２２０：屋根パネル
３００、４００、５００：立体構築物
【図１】
2007277948.tif 000003
【図２】
2007277948.tif 000004
【図３】
2007277948.tif 000005
【図４】
2007277948.tif 000006
【図５】
2007277948.tif 000007
【図６】
2007277948.tif 000008
【図７】
2007277948.tif 000009
【図８】
2007277948.tif 000010
【図９】
2007277948.tif 000011
【図１０】
2007277948.tif 000012
【図１１】
2007277948.tif 000013
【図１２】
2007277948.tif 000014
【図１３】
2007277948.tif 000015
【図１４】
2007277948.tif 000016
【図１５】
2007277948.tif 000017
【図１６】
2007277948.tif 000018
【図１７】
2007277948.tif 000019
【図１８】
2007277948.tif 000020
【図１９】
2007277948.tif 000021
【図２０】
2007277948.tif 000022
【図２１】
2007277948.tif 000023
【図２２】
2007277948.tif 000024
【図２３】
2007277948.tif 000025
【図２４】
2007277948.tif 000026
【図２５】
2007277948.tif 000027
【図２６】
2007277948.tif 000028
【図２７】
2007277948.tif 000029
【図２８】
2007277948.tif 000030
【図２９】
2007277948.tif 000031
【図３０】
2007277948.tif 000032
【図３１】
2007277948.tif 000033
【図３２】
2007277948.tif 000034
【図３３】
2007277948.tif 000035
【図３４】
2007277948.tif 000036
【図３５】
2007277948.tif 000037
【図３６】
2007277948.tif 000038
【図３７】
2007277948.tif 000039
【図３８】
2007277948.tif 000040
【図３９】
2007277948.tif 000041
【図４０】
2007277948.tif 000042
【図４１】
2007277948.tif 000043
【図４２】
2007277948.tif 000044
【図４３】
2007277948.tif 000045
【図４４】
2007277948.tif 000046
【図４５】
2007277948.tif 000047
【手続補正書】
【提出日】平成18年5月18日(2006.5.18)
【手続補正１】
【補正対象書類名】図面
【補正対象項目名】全図
【補正方法】変更
【補正の内容】
【図１】
2007277948.tif 000048
【図２】
2007277948.tif 000049
【図３】
2007277948.tif 000050
【図４】
2007277948.tif 000051
【図５】
2007277948.tif 000052
【図６】
2007277948.tif 000053
【図７】
2007277948.tif 000054
【図８】
2007277948.tif 000055
【図９】
2007277948.tif 000056
【図１０】
2007277948.tif 000057
【図１１】
2007277948.tif 000058
【図１２】
2007277948.tif 000059
【図１３】
2007277948.tif 000060
【図１４】
2007277948.tif 000061
【図１５】
2007277948.tif 000062
【図１６】
2007277948.tif 000063
【図１７】
2007277948.tif 000064
【図１８】
2007277948.tif 000065
【図１９】
2007277948.tif 000066
【図２０】
2007277948.tif 000067
【図２１】
2007277948.tif 000068
【図２２】
2007277948.tif 000069
【図２３】
2007277948.tif 000070
【図２４】
2007277948.tif 000071
【図２５】
2007277948.tif 000072
【図２６】
2007277948.tif 000073
【図２７】
2007277948.tif 000074
【図２８】
2007277948.tif 000075
【図２９】
2007277948.tif 000076
【図３０】
2007277948.tif 000077
【図３１】
2007277948.tif 000078
【図３２】
2007277948.tif 000079
【図３３】
2007277948.tif 000080
【図３４】
2007277948.tif 000081
【図３５】
2007277948.tif 000082
【図３６】
2007277948.tif 000083
【図３７】
2007277948.tif 000084
【図３８】
2007277948.tif 000085
【図３９】
2007277948.tif 000086
【図４０】
2007277948.tif 000087
【図４１】
2007277948.tif 000088
【図４２】
2007277948.tif 000089
【図４３】
2007277948.tif 000090
【図４４】
2007277948.tif 000091
【図４５】
2007277948.tif 000092